(57)【特許請求の範囲】
【請求項１】
少なくとも１の認可不要のサービングセルを含む複数のサービングセルを備える移動通信システムにおいて、Ｐｈｙｓｉｃａｌ  Ｄｏｗｎｌｉｎｋ  Ｃｏｎｔｒｏｌ  ＣＨａｎｎｅｌ（ＰＤＣＣＨ）割当てを受信するための移動局であって、
前記移動局に、前記複数のサービングセルのうち、異なるサービングセルインデックスを有する前記少なくとも１の認可不要のサービングセルを含む少なくとも２つのサービングセルを設定する場合、
−前記移動局は、前記少なくとも１の認可不要のサービングセルを含む少なくとも２つのサービングセルに対して、前記移動局固有であって、前記移動局に設定される前記少なくとも１の認可不要のサービングセルを含む少なくとも２つのサービングセルの前記インデックスから独立して判定される同一のサーチスペースを定義するＰＤＣＣＨ割当ての候補の同一のセットを監視するように構成されており、
−前記移動局は、前記少なくとも１の認可不要のサービングセルを含む少なくとも２つのサービングセルに対して、前記移動局に設定される前記少なくとも２つのサービングセルを識別するために受信されたＰＤＣＣＨ割当てにおけるＣａｒｒｉｅｒ  Ｉｎｄｉｃａｔｏｒ  Ｆｉｅｌｄ（ＣＩＦ）値を使用して、前記監視される候補の同一のセットの中からＰＤＣＣＨ割当てを受信するように構成されており、
前記受信されたＰＤＣＣＨ割当てに含まれる前記ＣＩＦ値は、前記移動局に設定される前記少なくとも１の認可不要のサービングセルを含む少なくとも２つのサービングセルの前記それぞれのインデックスに対応し、
前記移動局は、少なくとも１つのＲＲＣ再設定メッセージを受信するように構成されており、前記少なくとも１つのＲＲＣ再設定メッセージに応答して前記複数のサービングセルのうち前記少なくとも１の認可不要のサービングセルを含む少なくとも２つのサービングセルが前記移動局に設定され、
前記移動局によって受信される前記少なくとも１つのＲＲＣ再設定メッセージは、前記少なくとも１の認可不要のサービングセルを含む少なくとも２つのサービングセルに対する前記同一のサーチスペースを独立して判定するための同一のｎＣＩ値を含む、
移動局。
【請求項２】
前記移動局によって受信される前記少なくとも１つのＲＲＣ再設定メッセージは、前記少なくとも２つのサービングセルのそれぞれに対して、前記少なくとも２つのサービングセルに対する前記同一のサーチスペースを判定する前記ｎＣＩ値が前記移動局に設定される前記少なくとも２つのサービングセルの前記インデックスから独立しているように、
−異なるサービングセルインデックスと、
−前記同一のｎＣＩ値と、を含む、
請求項１に記載の移動局。
【請求項３】
前記少なくとも２つのサービングセルに対する前記同一のサーチスペースＳ（Ｌ）ｋは、前記同一のｎＣＩ値を用いて次式を適用して判定され、
【数１】
0006565040.tif 000027
上記の式において、アグリゲーションレベル、Ｌ、は、
【数２】
0006565040.tif 000028
として定義され、i＝0,…, L−1であり、Ｙｋは、Ｙｋ＝（Ａ・Ｙｋ−１）ｍｏｄＤとして定義され、移動局固有の前記サーチスペースに対しては、ｍ’＝ｍ＋Ｍ（Ｌ）・ｎＣＩであり、
ｎＣＩは、前記受信されたＲＲＣ再設定メッセージに含まれ、
Ｍ（Ｌ）は、所与のサーチスペースにおいて監視対象のＰＤＣＣＨ割当ての候補のセットの数であり、ＮＣＥＥ、ｋは、サブフレームｋの制御領域内のＣＣＥの合計数であり、Ｙ−１＝ｎＲＮＴＩ≠０であり、
Ａ＝３９８２７、Ｄ＝６５５３７であって、
【数３】
0006565040.tif 000029
であり、ｎｓは、無線フレーム内のスロット番号である、
請求項１または２に記載の移動局。
【請求項４】
少なくとも１の認可不要のサービングセルを含む複数のサービングセルを備える移動通信システムにおいて、Ｐｈｙｓｉｃａｌ  Ｄｏｗｎｌｉｎｋ  Ｃｏｎｔｒｏｌ  ＣＨａｎｎｅｌ（ＰＤＣＣＨ）割当てを受信するための方法であって、前記方法は、移動局によって実行される次のステップを備え、
前記移動局に、前記複数のサービングセルのうち、異なるサービングセルインデックスを有する前記少なくとも１の認可不要のサービングセルを含む少なくとも２つのサービングセルが設定される場合、
−前記少なくとも１の認可不要のサービングセルを含む少なくとも２つのサービングセルに対して、前記移動局固有であって、前記移動局に設定される前記少なくとも１の認可不要のサービングセルを含む少なくとも２つのサービングセルの前記インデックスから独立して判定される同一のサーチスペースを定義するＰＤＣＣＨ割当ての候補の同一のセットを、前記移動局によって監視し、
−前記少なくとも１の認可不要のサービングセルを含む少なくとも２つのサービングセルに対して、前記移動局に設定される前記少なくとも２つのサービングセルを識別するために受信されたＰＤＣＣＨ割当てにおけるＣａｒｒｉｅｒ  Ｉｎｄｉｃａｔｏｒ  Ｆｉｅｌｄ（ＣＩＦ）値を使用して、前記監視される候補の同一のセットの中からＰＤＣＣＨ割当てを、移動局によって受信し、
前記受信されたＰＤＣＣＨ割当てに含まれる前記ＣＩＦ値は、前記移動局に設定される前記少なくとも１の認可不要のサービングセルを含む少なくとも２つのサービングセルの前記それぞれのインデックスに対応し、
少なくとも１つのＲＲＣ再設定メッセージを前記移動局によって受信するステップをさらに備え、前記少なくとも１つのＲＲＣ再設定メッセージに応答して前記複数のサービングセルのうち前記少なくとも１の認可不要のサービングセルを含む少なくとも２つのサービングセルが前記移動局に設定され、
前記移動局によって受信される前記少なくとも１つのＲＲＣ再設定メッセージは、前記少なくとも１の認可不要のサービングセルを含む少なくとも２つのサービングセルに対する前記同一のサーチスペースを独立して判定するための同一のｎＣＩ値を含む、
方法。
【請求項５】
前記移動局によって受信される前記少なくとも１つのＲＲＣ再設定メッセージは、前記少なくとも２つのサービングセルのそれぞれに対して、前記少なくとも２つのサービングセルに対する前記同一のサーチスペースを判定する前記ｎＣＩ値が前記移動局に設定される前記少なくとも２つのサービングセルの前記インデックスから独立しているように、
−異なるサービングセルインデックスと、
−前記同一のｎＣＩ値と、を含む、
請求項４に記載の方法。
【発明の詳細な説明】
【技術分野】
【０００１】
本開示は、複数のサービングセルを備える移動通信システムにおいて、移動局によって物理ダウンリンク制御チャネル（Physical Downlink Control Channel）割り当て（Assignments）を受信するための方法に関する。本開示は、本明細書に記載の方法に加わるため、またはその方法を実行するための、移動通信システム内の移動局も提供する。
【背景技術】
【０００２】
ロングタームエボリューション（Long Term Evolution：ＬＴＥ）
ＷＣＤＭＡ（登録商標）無線アクセス技術をベースとする第３世代の移動通信システム（Third-generation mobile system：３Ｇ）は、世界中で広範な規模で配備されつつある。この技術を強化または進化させる上での最初のステップは、高速ダウンリンクパケットアクセス（High-Speed Downlink Packet Access：ＨＳＤＰＡ）および高速アップリンクパケットアクセス（High-Speed Uplink Packet Access：ＨＳＵＰＡ）とも称されるエンハンストアップリンクの導入を伴い、これにより、極めて競争力の高い無線アクセス技術が提供されている。
【０００３】
ユーザからのますます増大する需要に対応し、新たな無線アクセス技術に対して競争力を確保するために、３ＧＰＰは、ロングタームエボリューション（Long Term Evolution：ＬＴＥ）と称される新しい移動通信システムを導入した。ＬＴＥは、今後１０年間にわたり、データおよびメディアの高速伝送ならびに大容量の音声サポートに要求されるキャリアを提供するように設計されている。高いビットレートを提供する能力は、ＬＴＥにおける重要な方策である。
【０００４】
ＬＴＥ（ロングタームエボリューション）に関する作業項目（Work Item：ＷＩ）の仕様は、進化したＵＭＴＳ地上無線アクセス（Evolved UMTS Terrestrial Radio Access：ＵＴＲＡ）、および、ＵＭＴＳ地上無線アクセスネットワーク（UMTS Terrestrial Radio Access Network：ＵＴＲＡＮ）と称され、リリース８（ＬＴＥリリース８）としてまとめられる。ＬＴＥシステムは、効率的なパケットベースの無線アクセスおよび無線アクセスネットワークであり、ＩＰベースの全機能を低遅延かつ低コストで提供する。ＬＴＥでは、与えられたスペクトルを用いてフレキシブルなシステム配備を達成するために、１．４ＭＨｚ、３．０ＭＨｚ、５．０ＭＨｚ、１０．０ＭＨｚ、１５．０ＭＨｚ、および、２０．０ＭＨｚ等のスケーラブルな複数の送信帯域幅が指定されている。ダウンリンクには、直交周波数分割多重（Orthogonal Frequency Division Multiplexing：ＯＦＤＭ）をベースとする無線アクセスが採用された。これは、かかる無線アクセスが、低いシンボルレートのためマルチパス干渉（ＭＰＩ）に対する耐性がもともと備わっていることと、サイクリックプリフィックス（Cyclic Prefix：ＣＰ）の使用と、さらに、さまざまな送信帯域幅の構成に対応可能だからである。アップリンクには、シングルキャリア周波数分割多元接続（Single-Carrier Frequency Division Multiple Access：ＳＣ−ＦＤＭＡ）をベースとする無線アクセスが採用されている。これは、ユーザ機器（User Equipment：ＵＥ）の送信出力が限られていることを考慮すると、ピークデータレートを向上させるよりも広いカバレッジエリアを提供することが優先されるからである。ＬＴＥリリース８／９では、多くの主要なパケット無線アクセス技術（例えば、多入力多出力（Multiple-Input Mulitple-Output：ＭＩＭＯ）チャネル伝送技術）が採用され、高効率の制御シグナリング構造が達成されている。
【０００５】
ＬＴＥアーキテクチャ
図１は、ＬＴＥの全体的なアーキテクチャを示し、図２は、Ｅ−ＵＴＲＡＮのアーキテクチャをより詳細に示している。Ｅ−ＵＴＲＡＮは、ｅＮｏｄｅＢから構成され、ＵＥ向けの、Ｅ−ＵＴＲＡのユーザプレーン（ＰＤＣＰ／ＲＬＣ／ＭＡＣ／ＰＨＹ）および制御プレーン（ＲＲＣ）のプロトコルを終端処理する。ｅＮｏｄｅＢ（ｅＮＢ）は、物理（Physical：ＰＨＹ）レイヤ、メディアアクセス制御（Medium Access Control：ＭＡＣ）レイヤ、無線リンク制御（Radio Link Control：ＲＬＣ）レイヤ、および、パケットデータ制御プロトコル（Packet Data Control Protocol：ＰＤＣＰ）レイヤ（これらのレイヤは、ユーザプレーンのヘッダ圧縮および暗号化の機能を含む）をホストする。ｅＮＢは、制御プレーンに対応する無線リソース制御（Radio Resource Control：ＲＲＣ）機能も提供する。ｅＮＢは、無線リソース管理、アドミッション制御、スケジューリング、ネゴシエーションによるアップリンクサービス品質（Quality Of Service：ＱｏＳ）の実施、セル情報のブロードキャスト、ユーザプレーンデータおよび制御プレーンデータの暗号化／復号化、ダウンリンク／アップリンクのユーザプレーンパケットヘッダの圧縮／復元を含む多くの機能を実行する。複数のｅＮｏｄｅＢは、Ｘ２インタフェースによって互いに接続されている。
【０００６】
また、複数のｅＮｏｄｅＢは、Ｓ１インタフェースによって、進化したパケットコア（Evolved Packet Core：ＥＰＣ）、より具体的には、Ｓ１移動管理エンティティ（Mobility Management Entity：ＭＭＥ）によってＭＭＥに対して、およびＳ１−Ｕによってサービングゲートウェイ（Serving Gateway：ＳＧＷ）に対して接続されている。Ｓ１インタフェースは、ＭＭＥ／サービングゲートウェイとｅＮｏｄｅＢとの間の多対多の関係をサポートする。ＳＧＷは、ユーザデータパケットをルーティングして転送する一方で、ｅＮｏｄｅＢ間のハンドオーバー時におけるユーザプレーンのモビリティアンカー（Mobility Anchor）として機能し、さらに、ＬＴＥと別の３ＧＰＰ技術との間のモビリティのためのアンカー（Ｓ４インタフェースを終端させ、２Ｇ／３ＧシステムとＰＤＮ  ＧＷとの間でトラフィックを中継する）として機能する。ＳＧＷは、アイドル状態のユーザ機器に対しては、ダウンリンクデータ経路を終端させ、そのユーザ機器へのダウンリンクデータが到着したときにページングをトリガーする。ＳＧＷは、ユーザ機器のコンテキスト（例えばＩＰベアラサービスのパラメータ、ネットワーク内部ルーティング情報）を管理および格納する。さらに、ＳＧＷは、合法傍受（Lawful Interception）の場合にユーザトラフィックの複製を実行する。
【０００７】
ＭＭＥは、ＬＴＥのアクセスネットワークの主要な制御ノードである。ＭＭＥは、アイドルモードのユーザ機器の追跡およびページング手順（再送信を含む）の役割を担う。ＭＭＥは、ベアラの有効化／無効化プロセスに関与し、さらには、最初のアタッチ（Attach）時と、コアネットワーク（Core Network：ＣＮ）ノードの再配置を伴うＬＴＥ内ハンドオーバー時とに、ユーザ機器のＳＧＷを選択する役割も担う。ＭＭＥは、（ＨＳＳと対話することによって）ユーザを認証する役割を担う。非アクセス層（Non-Access Stratum：ＮＡＳ）シグナリングは、ＭＭＥにおいて終端され、ＭＭＥは、一時的なＩＤを生成してユーザ機器に割り当てる役割も担う。ＭＭＥは、サービスプロバイダの公衆陸上移動網（Public Land Mobile Network：ＰＬＭＮ）に、保留接続するためにユーザ機器の認証をチェックし、ユーザ機器のローミング制約を実施する。ＭＭＥは、ＮＡＳシグナリングの暗号化／整合性保護においてネットワーク内の終端点であり、セキュリティキーの管理を行う。シグナリングの合法傍受も、ＭＭＥによってサポートされる。さらに、ＭＭＥは、ＬＴＥのアクセスネットワークと２Ｇ／３Ｇのアクセスネットワークとの間のモビリティのための制御プレーン機能を提供し、ＳＧＳＮからのＳ３インタフェースを終端させる。さらに、ＭＭＥは、ローミングするユーザ機器のためのホームＨＳＳに向かうＳ６ａインタフェースを終端させる。
【０００８】
ＬＴＥのダウンリンクのリソースグリッド
３ＧＰＰ  ＬＴＥシステムのダウンリンクコンポーネントキャリアは、いわゆるサブフレームにおける時間−周波数領域でさらに分割される。３ＧＰＰ  ＬＴＥにおいて、各サブフレームは、図３に示すように２つのダウンリンクスロットに分割され、そのなかで、第１のダウンリンクスロットは、第１のＯＦＤＭシンボル内の制御チャネル領域（ＰＤＣＣＨ領域）を備える。各サブフレームは、時間領域内の所与の数のＯＦＤＭシンボルで構成され（３ＧＰＰ  ＬＴＥ（リリース８）では、１２個または１４個のＯＦＤＭシンボル）、各ＯＦＤＭシンボルは、コンポーネントキャリアの帯域幅全体に広がる。したがって、ＯＦＤＭシンボルは、各々、図４にも示すように、ＮＤＬＲＢ×ＮＲＢＳＣ個のそれぞれのサブキャリアで送信される複数の変調シンボルで構成される。
【０００９】
例えば、３ＧＰＰロングタームエボリューション（ＬＴＥ）において使用されるような、例えば、ＯＦＤＭを使用するマルチキャリア通信システムを想定すると、スケジューラによって割り当てることができるリソースの最小単位は、１つの「リソースブロック」である。物理リソースブロック（Physical Resource Block：ＰＲＢ）は、図４に例示されるように時間領域におけるＮＤＬｓｙｍｂ個の連続するＯＦＤＭシンボル（例えば、７つのＯＦＤＭシンボル）および周波数領域におけるＮＲＢｓｃ個の連続するサブキャリア（例えば、コンポーネントキャリアの１２個のサブキャリア）として定義される。したがって、３ＧＰＰ  ＬＴＥ（リリース８）では、物理リソースブロックは、時間領域における１つのスロットおよび周波数領域における１８０ｋＨｚに対応する、ＮＤＬｓｙｍｂ×ＮＲＢｓｃ個のリソースエレメントで構成される（ダウンリンクリソースグリッドについて、さらなる詳細は、例えば、３ＧＰＰのウェブサイトで入手可能であり、参照により本明細書に組み込まれている、非特許文献１の６.２節を参照されたい、以下では非特許文献１と称する）。
【００１０】
１つのサブフレームは、２つのスロットで構成され、したがって、いわゆる「通常の」サイクリックプレフィックス（Cyclic Prefix：ＣＰ）が使用されるときにはサブフレーム内に１４個のＯＦＤＭシンボルが存在し、いわゆる「拡張」ＣＰが使用されるときにはサブフレーム内に１２個のＯＦＤＭシンボルが存在する。専門用語を目的として、以下で、サブフレーム全体に広がる同じＮＲＢｓｃ個の連続するサブキャリアと同等の時間−周波数リソースは、「リソースブロックペア」または同意義の「ＲＢペア」もしくは「ＰＲＢペア」と呼ばれる。
【００１１】
「コンポーネントキャリア」という用語は、周波数領域におけるいくつかのリソースブロックの組合せを示す。ＬＴＥの将来のリリースでは、「コンポーネントキャリア」という用語は使用されなくなり、その代わりに、その専門用語はダウンリンクおよびオプションでアップリンクリソースの組合せを示す「セル」に変更される。ダウンリンクリソースのキャリア周波数とアップリンクリソースのキャリア周波数との間のリンク付けは、ダウンリンクリソースで送信されるシステム情報において指示される。コンポーネントキャリア構造についての同様の想定が、後のリリースにも適用される。
【００１２】
ダウンリンク物理チャネルの一般的な構造
ＬＴＥにおいて、１つのダウンリンクサブフレーム内で、第１〜第４のＯＦＤＭシンボルがダウンリンク制御チャネルおよびダウンリンク信号送信（ＬＴＥ制御領域）のために使用される。ダウンリンク制御シグナリングは、次の３つの物理チャネルによって伝えられる。
−  １つのサブフレーム内で、制御シグナリングに使用されるＯＦＤＭシンボルの数（すなわち制御チャネル領域の大きさ）を示すＰＣＦＩＣＨ
−  アップリンクデータ送信に関連するダウンリンクＡＣＫ／ＮＡＣＫを伝えるＰＨＩＣＨ
−  ダウンリンクスケジューリング割当ておよびアップリンクスケジューリング割当てを伝えるＰＤＣＣＨ
【００１３】
ＬＴＥのダウンリンクリソースグリッド
ＬＴＥにおいて、各スロットにおいて送信された信号は、ＮＤＬＲＢ×ＮＲＢＳＣ個のサブキャリアのリソースグリッド、およびＮＤＬｓｙｍｂ個のＯＦＤＭシンボルによって記載される。ＮＤＬＲＢは、帯域内のリソースブロックの数である。数量であるＮＤＬＲＢは、セル内で設定されるダウンリンク送信帯域幅に依存し、次式を満たすものとする。
【数１】
0006565040.tif 000002
式中、Ｎmin, DLRB＝６およびＮmax, DLRB＝１１０は、それぞれ、この規格書の現行版によってサポートされている最小および最大のダウンリンク帯域幅である。ＮRBSCは、１つのリソースブロック内のサブキャリアの数である。通常のサイクリックプレフィックスのサブフレーム構造に対しては、ＮRBSC＝１２およびＮDLsymb＝７である。
【００１４】
ＬＴＥのダウンリンク制御領域
ＬＴＥにおいて、１つのダウンリンクサブフレーム内で、第１〜第４のＯＦＤＭシンボルがダウンリンク制御チャネルおよびダウンリンク信号送信（ＬＴＥ制御領域）のために使用される。ダウンリンク制御チャネルは、ＰＣＦＩＣＨ、ＰＨＩＣＨ、および、ＰＤＣＣＨを含む。ダウンリンク制御信号は、ＣＲＳを含む。図５は、ＬＴＥのダウンリンク制御領域の例を示している。
【００１５】
ＰＣＦＩＣＨ
物理制御フォーマットインジケータチャネル（Physical Control Format Indicator Channel：ＰＣＦＩＣＨ）は、サイズ、すなわち、ダウンリンク制御領域のＯＦＤＭシンボルの数を示す。ＮＤＬＲＢ＞１０に対して、ＰＣＦＩＣＨの値は、０〜３の範囲内である。
【００１６】
ＰＨＩＣＨ
物理ハイブリッドＡＲＱインジケータチャネル（Physical Hybrid ARQ Indicator Channel:ＰＨＩＣＨ）は、ハイブリッドＡＲＱのＡＣＫ／ＮＡＣＫを伝える。ＰＨＩＣＨの間隔、すなわち、ＰＨＩＣＨに使用されるＯＦＤＭシンボルの数は、上位層によって設定される。通常のＰＨＩＣＨに対しては、その間隔は、１つのＯＦＤＭシンボルである。拡張ＰＨＩＣＨに対しては、その間隔は、２〜３つのＯＦＤＭシンボルである。
ＰＣＦＩＣＨの値から判定される、ダウンリンク制御領域のサイズに関して、ＰＨＩＣＨの間隔によって下限が課される。
【００１７】
ＣＲＳ
セル固有参照信号（Cell-Specific Reference Signal：ＣＲＳ）は、アンテナポート０〜３の１つまたは数個で送信される。通常のサブフレームにおいて、ＣＲＳは、サブフレーム内の帯域幅全体に渡って分散されている。ＭＢＳＦＮサブフレームにおいて、ＣＲＳは、ＭＢＳＦＮサブフレームの非ＭＢＳＦＮ領域、すなわちダウンリンク制御領域においてのみ送信されるものとしている。
【００１８】
ＰＤＣＣＨ
物理ダウンリンク制御チャネル（Physical Downlink Control CHannel：ＰＤＣＣＨ）は、スケジューリング割当ておよび他の制御情報を伝える。物理制御チャネルは、１つまたは数個の連続する制御チャネルエレメント（Control Channel Elements：ＣＣＥｓ）のアグリゲーション（aggregation）で送信され、制御チャネルエレメントは、９つのリソースエレメントグループに対応する。
【００１９】
リソースエレメントグループ（Resource-element groups：ＲＥＧｓ）は、リソースエレメントに対する制御チャネルのマッピングを定義するために使用される。各ＲＥＧは、同一のＯＦＤＭシンボル内で４つの連続するリソースエレメント（参照信号を除く）から構成される。ＲＥＧは、２つのスロットから構成される、１つのサブフレーム内の最初のＯＦＤＭシンボルから４つのＯＦＤＭシンボルに存在する。各Ｒ−ＰＤＣＣＨは、ＲＥＧに分散されてマッピングされる。
【００２０】
ＰＤＣＣＨサーチスペース
ユーザ機器（ＵＥ）は、全ての非ＤＲＸサブフレームにおいて、サービングセルについての制御情報について、ＰＤＣＣＨ候補のセットを監視するものとし、監視とは、全ての監視対象のＤＣＩフォーマットに従うセットにおける各ＰＤＣＣＨに対して復号を試行することを暗示する。監視すべきＰＤＣＣＨ候補のセットは、サーチスペースの観点から定義される。
【００２１】
ＵＥは、２つの種類のサーチスペース（ＵＥ固有のサーチスペースおよび共通サーチスペース）を監視する。ＵＥ固有のサーチスペースおよび共通サーチスペースは、ともに異なるアグリゲーションレベルを有する。
−  ＵＥ固有のサーチスペースにおいて、｛６、６、２、２｝個のＰＤＣＣＨ候補がアグリゲーションレベル｛１、２、４、８｝で存在し、各アグリゲーションレベルにおけるＰＤＣＣＨ候補は、ＣＣＥにおいて連続している。アグリゲーションレベルＬにおける第１のＰＤＣＣＨ候補の開始ＣＣＥインデックスは、Ｙｋ×Ｌによって決定される。ここで、ｋは、サブフレーム番号であり、Ｙｋは、ｋおよびＵＥ  ＩＤによって決定される。従って、ＰＤＣＣＨのＵＥ固有のサーチスペースの異なるＵＥｓとの重複を削減するために、ＵＥ固有のサーチスペースにおけるＣＣＥの位置は、ＵＥ  ＩＤによって決定され、隣接セルにおけるＰＤＣＣＨからの干渉をランダム化するために、サブフレームからサブフレームへとランダム化される。
−  共通サーチスペースにおいて、｛４、２｝個のＰＤＣＣＨ候補がアグリゲーションレベル｛４、８｝にて存在する。アグリゲーションレベルＬにおける第１のＰＤＣＣＨ候補は、ＣＣＥインデックス０から開始される。従って、全てのＵＥｓは、同じ共通サーチスペースを監視する。
システム情報のためのＰＤＣＣＨは、共通サーチスペースにおいて送信されることから、全てのＵＥｓは、共通サーチスペースを監視することによってシステム情報を受信することができる。
【００２２】
ＬＴＥにおけるコンポーネントキャリアの構造
３ＧＰＰ  ＬＴＥシステムのダウンリンクコンポーネントキャリアは、いわゆるサブフレームにおける時間−周波数領域でさらに分割される。３ＧＰＰ  ＬＴＥで、各サブフレームは、図３に示すように２つのダウンリンクスロットに分割され、第１のダウンリンクスロットは、第１のＯＦＤＭシンボル内の制御チャネル領域（ＰＤＣＣＨ領域）を備える。各サブフレームは、時間領域内の所与の数のＯＦＤＭシンボルで構成され（３ＧＰＰ  ＬＴＥ（リリース８）では１２個または１４個のＯＦＤＭシンボル）、各ＯＦＤＭシンボルはコンポーネントキャリアの帯域幅全体に広がる。したがって、ＯＦＤＭシンボルは、各々、図４にも示すように、ＮＤＬＲＢ×ＮＲＢＳＣ個のそれぞれのサブキャリアで送信されるいくつかの変調シンボルで構成される。
【００２３】
例えば、３ＧＰＰロングタームエボリューション（ＬＴＥ）において使用されるような、例えばＯＦＤＭを使用するマルチキャリア通信システムを想定すると、スケジューラによって割り当てることができるリソースの最小単位は、１つの「リソースブロック」である。物理リソースブロックは、図４に例示されるように時間領域におけるＮＤＬｓｙｍｂ個の連続するＯＦＤＭシンボル、および周波数領域におけるＮＲＢＳＣ個の連続するサブキャリアとして定義される。３ＧＰＰ  ＬＴＥ（リリース８）では、物理リソースブロックは、時間領域における１つのスロットおよび周波数領域における１８０ｋＨｚに対応する、ＮＤＬｓｙｍｂ×ＮＲＢｓｃ個のリソースエレメントで構成される（ダウンリンクリソースグリッドについてさらに詳しくは、例えば、３ＧＰＰのウェブサイトで入手可能であり、参照により本明細書に組み込まれている、非特許文献１の６.２節を参照）。「コンポーネントキャリア」という用語は、いくつかのリソースブロックの組合せを示す。ＬＴＥの将来のリリースでは、「コンポーネントキャリア」という用語は使用されなくなり、その代わりに、その専門用語はダウンリンクおよびオプションでアップリンクリソースの組合せを示す「セル」に変更される。ダウンリンクリソースのキャリア周波数とアップリンクリソースのキャリア周波数との間のリンク付けは、ダウンリンクリソースで送信されるシステム情報において示される。
【００２４】
ＬＴＥ−Ａにおけるキャリアアグリゲーション
ＴＳ３６．３００  ｖａ２．０[５]によれば、キャリアアグリゲーション（Carrier Aggregation：ＣＡ）において、最大で１００ＭＨｚの広い送信帯域幅をサポートする目的で、２つ以上のコンポーネントキャリア（Component Carriers：ＣＣｓ）がアグリゲートされる。ＵＥは、自身の能力に応じて１つまたは複数のＣＣｓを同時に受信または送信することができる。
【００２５】
ＣＡが設定されるとき、ＵＥは、ネットワークに対して１つのＲＲＣ接続のみ有する。ＲＲＣ接続の再確立／ハンドオーバー時、１つのサービングセルが、非アクセス層モビリティ情報（ＮＡＳ  ｍｏｂｉｌｉｔｙ  ｉｎｆｏｒｍａｔｉｏｎ）およびセキュリティ入力を提供する。このサービングセルは、プライマリセル（ＰＣｅｌｌ）と称される。したがって、ＵＥは、つねに１つのＰＣｅｌｌを有する。ＰＣｅｌｌの他に、他のサービングセルが１つのＵＥに対して加えられうる、または１つのＵＥから解放されうる。これらのサービングセルは、セカンダリセル（ＳＣｅｌｌ）と称される。
【００２６】
リリース１０において、最大４つのＳＣｅｌｌｓを１つのＵＥに追加することができる。各ＳＣｅｌｌは、ＳＣｅｌｌが１つのＵＥに追加されるとき、サービングセルインデックスが設定される。ＰＣｅｌｌは、サービングセルインデックス０をつねに有する。結果として、最大５つのサービングセルが１つのＵＥに対して設定されうる。ＣＡが設定されるとき、ＵＥは、複数のサービングセルに渡って同時にスケジューリングされうる。キャリアインジケータフィールド（Carrier Indicator Field：ＣＩＦ）を用いたクロスキャリアスケジューリング（Cross-Carrier Scheduling）は、次の制限があるが、サービングセルのＰＤＣＣＨが、他のサービングセルに対するリソースのスケジューリングできるようにする。
−  クロスキャリアスケジューリングはＰＣｅｌｌには適用されない、つまり、ＰＣｅｌｌは、つねに自セルのＰＤＣＣＨを介してスケジューリングされる。
−  ＳＣｅｌｌのＰＤＣＣＨが設定されるとき、クロスキャリアスケジューリングはこのＳｃｅｌｌに対して適用されず、つまり、そのＰＤＣＣＨを介してスケジューリングされる。
−  ＳＣｅｌｌのＰＤＣＣＨが設定されないとき、クロスキャリアスケジューリングは適用され、このＳｃｅｌｌはつねに他の１つのサービングセルを介してスケジューリングされる。
クロスキャリアスケジューリング設定は、各ＳＣｅｌｌに対して、ＳＣｅｌｌが自キャリアのＰＤＣＣＨによってまたは他のキャリアによってスケジューリングされているか、およびＳＣｅｌｌが自キャリアのＰＤＣＣＨによってスケジューリングされた場合、ＰＤＣＣＨにＣＩＦフィールドが存在するかを設定する。
【００２７】
ＬＴＡ−Ａにおけるサーチスペース
ＰＤＣＣＨが監視される各サービングセルに対して、サーチスペースＳ（Ｌ）ｋのＰＤＣＣＨ候補ｍに対応するＣＣＥは、以下によって与えられる。
【数２】
0006565040.tif 000003
ここで、Ｙｋは、ＬＴＥにおいて定義されるものと同一であり、次のように与えられる。
ｉ=０,…, Ｌ−１
共通のサーチスペースの場合、ｍ’＝ｍである。ＰＤＣＣＨのＵＥ固有のサーチスペースの場合、ＰＤＣＣＨが監視されるサービングセルに対して、監視するＵＥにＣＩＦが設定されていれば、以下となる。
ｍ’＝ｍ＋Ｍ（Ｌ）・ｎＣＩ
ここで、ｎＣＩは、ＣＩＦ値であり、そうでなければ、監視するＵＥは、ＣＩＦでは設定されず、ｍ’＝ｍであって、
ｍ＝０,…,Ｍ（Ｌ）−１であり、
Ｍ（Ｌ）は、所与のサーチスペースにおいて、監視するＰＤＣＣＨ候補の数である。なお、ＣＩＦ値は、サービングセルインデックスと同じである。
【００２８】
共通サーチスペースの場合、Ｙｋは、２つのアグリゲーションレベルＬ＝４およびＬ＝８に対して、０が設定される。
アグリゲーションレベルＬのＵＥ固有のサーチスペースＳ（Ｌ）ｋの場合、変数Ｙｋは、以下によって定義される。
Ｙｋ＝（Ａ・Ｙｋ−１）ｍｏｄＤ
【００２９】
従って、ＰＤＣＣＨが監視されるサービングセルについて、このサービングセルについて他のサービングセルがスケジューリングされる場合、スケジューリングされたサービングセルのサーチスペースは、ＣＩＦ値によって判定される。ＣＩＦ値は、サービングセルインデックスと同一である。従って、ＣＩＦ値は、０〜７の範囲を有するが、最大で５つの値が１つのＵＥに対して設定される。結果として、最大で５つのサーチスペースが監視される。各サーチスペースは、１つのサービングセルに対応する。しかしながら、１つのサービングセルに対するＰＤＣＣＨは、２つのサービングセルについて、ＰＤＣＣＨのＤＣＩフォーマットが同じであれば、他のサービングセルのサーチスペースについてスケジューリングすることができる。この場合、どのサービングセルがスケジューリングされるかを示すために、ＰＤＣＣＨにおけるＣＩＦは、スケジューリングされたサービングセルを示すことができる。ＣＩＦは、異なるサービングセルのサーチスペースが互いに重複するときも有用である。現在、ｎＣＩは、ＣＩＦと同等であり、サービングセルインデックスと同等である。
【００３０】
レイヤ１／レイヤ２（Ｌ１／Ｌ２）制御シグナリング
スケジューリング対象のユーザに、ユーザの割当てステータス、トランスポートフォーマットおよび他の送信関連情報（例：ＨＡＲＱ情報、送信電力制御（Transmit Power Control：ＴＰＣ）コマンド）を通知する目的で、レイヤ１／レイヤ２制御シグナリングが、データと一緒にダウンリンクで送信される。レイヤ１／レイヤ２制御シグナリングは、サブフレーム内にダウンリンクデータと多重化される（ユーザ割当てがサブフレーム単位で変化しうるものと想定する）。なお、ユーザ割当てを送信時間間隔（Transmission Time Interval：ＴＴＩ）ベースで実行してもよく、この場合、ＴＴＩ長は、サブフレームの倍数でありうることに留意されたい。ＴＴＩ長は、サービスエリアにおいてすべてのユーザに対して一定としてもよく、ユーザ毎に異なる、あるいはユーザ毎に動的としてもよい。一般的には、レイヤ１／レイヤ２制御シグナリングは、ＴＴＩあたり１回だけ送信する必要がある。一般性は失わずに、以下において、ＴＴＩは、１つのサブフレームと同一であるとする。
【００３１】
レイヤ１／レイヤ２制御シグナリングは、物理ダウンリンク制御チャネル（ＰＤＣＣＨ）で送信される。ＰＤＣＣＨは、ダウンリンク制御情報（Downlink Control Information：ＤＣＩ）としてメッセージを伝え、このメッセージには、多くの場合、移動端末またはＵＥｓのグループのリソース割当ておよび他の制御情報が含まれる。一般的には、いくつかのＰＤＣＣＨｓが１つのサブフレーム内で送信されうる。
【００３２】
なお、３ＧＰＰ  ＬＴＥでは、アップリンクデータ送信のための割当て（アップリンクスケジューリンググラントまたはアップリンクリソース割当てとも称する）も、ＰＤＣＣＨで送信されることに留意されたい。さらに、リリース１１において、詳細な送信方法はＰＤＣＣＨと異なるが、基本的に、ＰＤＣＣＨと同様の機能を果たす、つまり、レイヤ１／レイヤ２制御シグナリングを伝える、ＥＰＤＣＣＨが導入された。更なる詳細は、特に、参照により本明細書に援用される、非特許文献１および２の現行版において、見つけることができる。従って、背景技術および実施形態において説明されたほとんどの項目は、特に記載のない限り、ＰＤＣＣＨおよびＥＰＤＣＣＨ、または他のレイヤ１／レイヤ２制御シグナリングを伝える手段に該当する。
【００３３】
アップリンクまたはダウンリンクの無線リソースを割り当てるためにレイヤ１／レイヤ２制御シグナリングで送られる情報は（特にＬＴＥ（−Ａ）リリース１０）、一般的には以下の項目に分類することができる。
−  割り当てる対象のユーザを示す、ユーザＩＤ。これは、一般には、ＣＲＣ（巡回冗長検査）をユーザＩＤによってマスクすることによってチェックサムに含まれる。
−  ユーザに割り当てられるリソース（Resource Blocks：ＲＢｓ）を示す、リソース割当て情報。あるいは、この情報は、リソースブロックアサイメント（Resource Block Assignment：ＲＢＡ）と称される。なお、ユーザに割り当てられるリソースブロックの数は動的とすることができる。
−  第１のキャリアで送信される制御チャネルが、第２のキャリアに関係するリソース、すなわち第２のキャリアのリソース、または第２のキャリアに関連するリソースを割り当てる場合（クロスキャリアスケジューリング）使用される、キャリアインジケータ。
−  採用された変調方式および符号化率を判定する、変調・符号化方式。
−  データパケットまたはその一部を再送信するときに特に有用である、新規データインジケータ（New Data Indicator：ＮＤＩ）および／または冗長バージョン（Redundancy Version：ＲＶ）など、ＨＡＲＱ情報。
−  割り当てられたアップリンクのデータまたは制御情報を送信するときの送信電力を調整する、電力制御コマンド。
−  割当てに関連する参照信号の送信または受信のために使用される、適用されたサイクリックシフトおよび／または直交カバーコードインデックスなど、参照信号情報。
−  割当ての順序を識別するために使用され、ＴＤＤシステムにおいて特に有用である、アップリンクまたはダウンリンク割当てインデックス。
−  例えば、周波数ダイバーシチを増大させるためにリソースホッピングを適用するかおよび適用方法を示す、ホッピング情報。
−  割り当てられるリソースにおけるチャネル状態情報（ＣＳＩ）の送信をトリガーするために使用される、ＣＳＩ要求。
−  シングルクラスタ（リソースブロックの連続的なセット）またはマルチクラスタ（連続的なリソースブロックの少なくとも２つの不連続なセット）での送信が発生するかを示し、制御するために使用されるフラグである、マルチクラスタ情報。マルチクラスタ割当ては、３ＧＰＰ  ＬＴＥ−（Ａ）リリース１０によって導入された。
【００３４】
なお、上記のリストは、包括的ではなく、また、使用されるＤＣＩフォーマットによっては、リストした情報項目すべてを各ＰＤＣＣＨ送信に含める必要はないことに留意されたい。
【００３５】
ダウンリンク制御情報（ＤＣＩ）は、全体のサイズと、フィールドに含まれる情報とが異なるいくつかのフォーマットの形をとる。ＬＴＥにおいて現在定義されている異なるＤＣＩフォーマットは、以下のとおりであり、非特許文献３の５．３．３．１節に詳しく記載されている（現行版である、ｖ１２．２．０は、ｈｔｔｐ：／／ｗｗｗ．３ｇｐｐ．ｏｒｇで利用可能であり、参照によって本明細書に組み込まれており、以下では非特許文献３と称する）。加えて、ＤＣＩフォーマットに関するさらなる情報およびＤＣＩにおいて送信される具体的な情報については、上述の技術規格または参照によって本明細書に組み込まれている、“ＬＴＥ−Ｔｈｅ  ＵＭＴＳ  Ｌｏｎｇ  Ｔｅｒｍ  Ｅｖｏｌｕｔｉｏｎ−Ｆｒｏｍ  Ｔｈｅｏｒｙ  ｔｏ  Ｐｒａｃｔｉｃｅ，Ｅｄｉｔｅｄ”  ｂｙ  Ｓｔｅｆａｎｉｅ  Ｓｅｓｉａ，Ｉｓｓａｍ  Ｔｏｕｆｉｋ，Ｍａｔｔｈｅｗ  Ｂａｋｅｒ、９．３章を参照されたい。
【００３６】
フォーマット０：  ＤＣＩフォーマット０は、アップリンク送信モード１または２におけるシングルアンテナポート送信を使用する、ＰＵＳＣＨのためのリソースグラントの送信に使用される。
フォーマット１：  ＤＣＩフォーマット１は、単一コードワードＰＤＳＣＨの送信のためのリソース割当てを送信するのに使用される（ダウンリンク送信モード１，２および７）。
フォーマット１Ａ：  ＤＣＩフォーマット１Ａは、単一コードワードＰＤＳＣＨの送信のためのリソース割当てをコンパクトにシグナリングする目的と、非競合ランダムアクセスのために専用プリアンブルシグネチャ（dedicated preamble signature）を移動端末に割り当てる目的とに使用される（全ての送信モードに対して）。
フォーマット１Ｂ：  ＤＣＩフォーマット１Ｂは、ランク１送信による閉ループプリコーディングを使用してのＰＤＳＣＨ送信のためのリソース割当てをコンパクトにシグナリングするために使用される（ダウンリンク送信モード６）。送信される情報は、フォーマット１Ａと同じであるが、それに加えて、ＰＤＳＣＨの送信のために適用されるプリコーディングベクトルのインジケータが送信される。
【００３７】
フォーマット１Ｃ：  ＤＣＩフォーマット１Ｃは、ＰＤＳＣＨ割当てを極めてコンパクトに送信するのに使用される。フォーマット１Ｃが使用されるとき、ＰＤＳＣＨ送信は、ＱＰＳＫ変調の使用に制約される。このフォーマットは、例えば、ページングメッセージをシグナリングやシステム情報メッセージをブロードキャストするために使用される。
フォーマット１Ｄ：  ＤＣＩフォーマット１Ｄは、マルチユーザＭＩＭＯを使用してのＰＤＳＣＨ送信のためのリソース割当てをコンパクトにシグナリングするために使用される。送信される情報は、フォーマット１Ｂの場合と同じであるが、プリコーディングベクトルのインジケータのビットのうちの１つの代わりに、データシンボルに電力オフセットが適用されるかを示すための１個のビットが存在する。この構成は、２つのユーザ機器の間で送信電力が共有されるか否かを示すために必要である。ＬＴＥの今後のバージョンでは、この構成は、より多くの数のユーザ機器の間で電力を共有する場合に拡張されうる。
【００３８】
フォーマット２：  ＤＣＩフォーマット２は、閉ループＭＩＭＯ動作の場合にＰＤＳＣＨのためのリソース割当てを送信するのに使用される（送信モード４）。
フォーマット２Ａ：ＤＣＩフォーマット２Ａは、開ループＭＩＭＯ動作の場合にＰＤＳＣＨのためのリソース割当てを送信するのに使用される。送信される情報はフォーマット２の場合と同じであるが、異なる点として、ｅＮｏｄｅＢが２つの送信アンテナポートを有する場合、プリコーディング情報は存在せず、４つのアンテナポートの場合、送信ランクを示すために２ビットが使用される（送信モード３）。
フォーマット２Ｂ：  リリース９において導入され、デュアルレイヤ・ビームフォーミングの場合にＰＤＳＣＨのためのリソース割当ての送信するために使用される（送信モード８）。
フォーマット２Ｃ：  リリース１０において導入され、閉ループシングルユーザまたはマルチユーザＭＩＭＯ動作（最大８レイヤ）の場合にＰＤＳＣＨのためのリソース割当ての送信するために使用される（送信モード９）。
【００３９】
フォーマット２Ｄ：  リリース１１において導入され、最大８レイヤの送信に使用され、主として協調マルチポイント（Ｃｏｏｐｅｒａｔｉｖｅ  Ｍｕｌｔｉｐｏｉｎｔ：ＣＯＭＰ）において使用される（送信モード１０）。
フォーマット３および３Ａ：  ＤＣＩフォーマット３および３Ａは、それぞれ、２ビットまたは１ビットの電力調整を有する、ＰＵＣＣＨおよびＰＵＳＣＨのための電力制御コマンドの送信のために使用される。これらのＤＣＩフォーマットは、ＵＥｓのグループのための個々の電力制御コマンドを含む。
フォーマット４：  ＤＣＩフォーマット４は、アップリンク送信モード２における閉ループ空間多重化送信を使用する、ＰＵＳＣＨのスケジューリングに使用される。
【００４０】
次の表は、例示を目的として、５０個のリソースブロックのシステム帯域幅、および、ｅＮｏｄｅＢにおける４つのアンテナを、特にクロスキャリアスケジューリング無しまたはキャリアアグリゲーション無しで想定した場合における、いくつかの利用可能なＤＣＩフォーマットと一般的なビット数の概要を示している。右側の列に示したビット数は、その特定のＤＣＩのＣＲＣのビットを含む。
【００４１】
【表１】
0006565040.tif 000004
【００４２】
将来的に、追加フォーマットが確定されうる。
サイズは、一般的に、システム帯域幅に応じるものであり、リソース割当て情報は、ＤＣＩペイロードの本質的な部分を占有しうることに留意されたい。
−  情報要素の多重化（1つのＤＣＩを構成する特定の情報要素の多重化を示す）
−  ＣＲＣ付加（ＣＲＣ  Ａｔｔａｃｈｍｅｎｔ）
−  チャネルコーディング
−  レートマッチング
【００４３】
ＵＥが、ＰＤＣＣＨ送信を正常に受信しているかを識別できるようにする目的で、各ＰＤＣＣＨ（すなわちＤＣＩ）に付加される１６ビットのＣＲＣによって誤り検出が提供される。さらには、ＵＥが、そのＵＥに向けられたＰＤＣＣＨを識別できることが必要である。これは、理論的にはＰＤＣＣＨペイロードに識別子を追加することによって達成されうる。しかしながら、「ＵＥのＩＤ」によってＣＲＣをスクランブルする方がより効率的であり、追加オーバーヘッドを不要とすることがわかる。ＣＲＣの計算およびスクランブリングは、非特許文献３の５．３．３．２節の「ＣＲＣ  ａｔｔａｃｈｍｅｎｔ」において３ＧＰＰによって詳細に定義されているように行ってよい。この節には、巡回冗長検査（Cyclic Redundancy Check：ＣＲＣ）を通じてＤＣＩ送信に誤り検出を導入する方法が記載されている。簡潔に要約すると以下のようになる。ペイロード全体を使用して、ＣＲＣパリティビットを計算して付加する。ＵＥの送信アンテナの選択が設定されていない、または適用可能ではない場合、付加した後、ＣＲＣパリティビットを対応するＲＮＴＩとともにスクランブリングする。したがって、ＵＥは、「ＵＥのＩＤ」を適用することによってＣＲＣをデスクランブリングし、ＣＲＣエラーが検出されなければ、そのＰＤＣＣＨがそのＵＥに向けられた制御情報を伝えているものと判断する。ＩＤを使用してＣＲＣをスクランブリングする上述したプロセスにおいては、「マスキング」および「デマスキング」という用語も使用される。
【００４４】
既出の関連におけるさらなる詳細は、ここでは省略される（関連部分は、非特許文献３の５．３．３．２節から、参照によって本明細書に組み込まれている）。
以下において、参照によってその詳細は本明細書に組み込まれている、非特許文献３（現行版は１２．２．０）の５．３．３．１節に従って、様々なＤＣＩフォーマットの特定の内容について概説する。
【００４５】
ＤＣＩフォーマット０：キャリアインジケータ、フォーマット０／フォーマット１Ａの区別のためのフラグ、周波数ホッピングフラグ、リソースブロック割当て、および、ホッピングリソース割当て、変調・符号化方式および冗長バージョン、新規データインジケータ、スケジューリングされたＰＵＳＣＨに対するＴＰＣコマンド、ＤＭＲＳおよびＯＣＣインデックス用のサイクリックシフト、ＵＬインデックス、ダウンリンク割当てインデックス（ＤＡＩ）、ＣＳＩ要求、ＳＲＳ要求、リソース割当てタイプ。
ＤＣＩフォーマット１：キャリアインジケータ、リソース割当てヘッダ、リソースブロック割当て、変調・符号化方式、ＨＡＲＱプロセス番号、新規データインジケータ、冗長バージョン、ＰＵＣＣＨに対するＴＰＣコマンド、ダウンリンク割当てインデックス、ＨＡＲＱ−ＡＣＫリソースオフセット。
【００４６】
ＤＣＩフォーマット１Ａ：キャリアインジケータ、フォーマット０／フォーマット１Ａの区別のためのフラグ、局所型／分散型ＶＲＢ割当てのフラグ、リソースブロック割当て、変調・符号化方式、ＨＡＲＱプロセス番号、新規データインジケータ、冗長バージョン、ＰＵＣＣＨに対するＴＰＣコマンド、ダウンリンク割当てインデックス、ＳＲＳ要求、ＨＡＲＱ−ＡＣＫリソースオフセット。
ＤＣＩフォーマット１Ｂ：キャリアインジケータ、局所型／分散型ＶＲＢ割当てのフラグ、リソースブロック割当て、変調・符号化方式、ＨＡＲＱプロセス番号、新規データインジケータ、冗長バージョン、ＰＵＣＣＨに対するＴＰＣコマンド、ダウンリンク割当てインデックス、プリコーディングのためのＴＰＭＩ情報、プリコーディングのためのＰＭＩ確認、ＨＡＲＱ−ＡＣＫリソースオフセット。
ＤＣＩフォーマット１Ｃ：ギャップ値、リソースブロック割当て、変調・符号化方式、ＭＣＣＨ変更通知のための情報、ＵＬ／ＤＬ構成通知、ＵＬ／ＤＬ構成番号。
【００４７】
ＤＣＩフォーマット１Ｄ：キャリアインジケータ、局所型／分散型ＶＲＢ割当てのフラグ、リソースブロック割当て、変調・符号化方式、ＨＡＲＱプロセス番号、新規データインジケータ、冗長バージョン、ＰＵＣＣＨに対するＴＰＣコマンド、ダウンリンク割当てインデックス、プリコーディングのためのＴＰＭＩ情報、ダウンリンクの電力オフセット、ＨＡＲＱ−ＡＣＫリソースオフセット。
ＤＣＩフォーマット２：キャリアインジケータ、リソース割当てヘッダ、リソースブロック割当て、ＰＵＣＣＨに対するＴＰＣコマンド、ダウンリンク割当てインデックス、ＨＡＲＱプロセス番号、トランスポートブロックからコードワードへのスワップフラグ、トランスポートブロック１および２に対する、変調・符号化方式、新規データインジケータ、冗長バージョン、プリコーディング情報、ＨＡＲＱ−ＡＣＫリソースオフセット。
【００４８】
ＤＣＩフォーマット２Ａ：キャリアインジケータ、リソース割当てヘッダ、リソースブロック割当て、ＰＵＣＣＨに対するＴＰＣコマンド、ダウンリンク割当てインデックス、ＨＡＲＱプロセス番号、トランスポートブロックからコードワードへのスワップフラグ、トランスポートブロック１および２に対する、変調・符号化方式、新規データインジケータ、冗長バージョン、プリコーディング情報、ＨＡＲＱ−ＡＣＫリソースオフセット。
ＤＣＩフォーマット２Ｂ：キャリアインジケータ、リソース割当てヘッダ、リソースブロック割当て、ＰＵＣＣＨに対するＴＰＣコマンド、ダウンリンク割当てインデックス、ＨＡＲＱプロセス番号、スクランブリングＩＤ、ＳＲＳ要求、トランスポートブロック１および２に対する変調・符号化方式、新規データインジケータ、冗長バージョン、ＨＡＲＱ−ＡＣＫリソースオフセット。
ＤＣＩフォーマット２Ｃ：キャリアインジケータ、リソース割当てヘッダ、リソースブロック割当て、ＰＵＣＣＨに対するＴＰＣコマンド、ダウンリンク割当てインデックス、ＨＡＲＱプロセス番号、アンテナポート、スクランブリングＩＤおよびレイヤ数、ＳＲＳ要求、トランスポートブロック１および２に対する変調・符号化方式、新規データインジケータ、冗長バージョン、ＨＡＲＱ−ＡＣＫリソースオフセット。
【００４９】
ＤＣＩフォーマット２Ｄ：キャリアインジケータ、リソース割当てヘッダ、リソースブロック割当て、ＰＵＣＣＨに対するＴＰＣコマンド、ダウンリンク割当てインデックス、ＨＡＲＱプロセス番号、アンテナポート、スクランブリングＩＤおよびレイヤ数、ＳＲＳ要求、トランスポートブロック１および２に対する変調・符号化方式、新規データインジケータ、冗長バージョン、ＰＤＳＣＨ  ＲＥマッピングおよび準共有ロケーションインジケータ（Ｑｕａｓｉ−Ｃｏ−Ｌｏｃａｔｉｏｎ  Ｉｎｄｉｃａｔｏｒ）、ＨＡＲＱ−ＡＣＫリソースオフセット。
ＤＣＩフォーマット３：ＴＰＣコマンド番号
ＤＣＩフォーマット３Ａ：ＴＰＣコマンド番号
ＤＣＩフォーマット４：キャリアインジケータ、リソースブロック割当て、スケジューリングされたＰＵＳＣＨのためのＴＰＣコマンド、ＤＭＲＳおよびＯＣＣインデックス用のサイクリックシフト、ＵＬインデックス、ダウンリンク割当てインデックス（ＤＡＩ）、ＣＳＩ要求、ＳＲＳ要求、リソース割当てタイプ、トランスポートブロック１および２に対する変調・符号化方式、冗長バージョン、新規データインジケータ、プリコーディング情報およびレイヤ数。
【００５０】
なお、上記にリストした全てのエレメントが常に存在するわけではなく、リストしたエレメントのいくつかの存在は、例えば、ＲＲＣパラメータによって設定されうることに留意されたい。ＤＣＩフォーマットおよび上記のＤＣＩの内容の異なるフィールドについての詳細は、参照により本明細書に援用される、非特許文献３において見つけることができる。
【００５１】
物理ダウンリンク制御チャネル（ＰＤＣＣＨ）
既に説明したように、ＰＤＣＣＨは、ＤＣＩ、すなわち、ＤＣＩメッセージとして、メッセージを伝える。各ＰＤＣＣＨは、所謂、1つ以上の制御チャネルエレメント（Control Channel Elements：ＣＣＥｓ）と呼ばれる、各ＣＣＥが９つのリソースエレメントグループ（Resource Element Groups：ＲＥＧｓ、つまり、４つの物理リソースエレメントのセット）に対応する、ＣＣＥのアグリゲーションで送信される。ＣＣＥを構成するＲＥＧは、不連続であり、ＣＣＥは、周波数において、帯域幅全体に渡って分散されている。なお、ＣＣＥは、周波数ダイバーシチを得るために、周波数領域において広がっている。次のテーブルにリストするように４つのＰＤＣＣＨフォーマットがサポートされており、このテーブルにおいて、対応する可能なＣＣＥのアグリゲーションレベルも示している。
【００５２】
【表２】
0006565040.tif 000005
【００５３】
ＣＣＥは、連続して番号を付けて使用され、復号のプロセスを簡略化するために、ｎ個のＣＣＥから構成されるフォーマットのＰＤＣＣＨは、ｎの倍数と同じ番号のＣＣＥからのみ開始されうる。
【００５４】
セルにおける利用可能なＣＣＥの数は異なり、半静的（システム帯域幅、ＰＨＩＣＨ構成）または動的（ＰＣＦＩＣＨ）となりうる。
【００５５】
特定のＰＤＣＣＨの送信のために使用されるＣＣＥの数は、チャネル条件に従って、ｅＮｏｄｅＢによって判定される。例えば、良好なダウンリンクチャネルの（例えば、ｅＮｏｄｅＢに近い）移動端末に向けられたＰＤＣＣＨの場合、１つのＣＣＥで十分である可能性が高い。しかしながら、不十分なチャネルの（例えば、セルの境界の近い）移動端末のためには、十分な堅牢性を得るためには、８つのＣＣＥが必要となりうる。加えて、ＰＤＣＣＨの電力レベルは、チャネル条件と一致させるために調整されうる。
ＥＰＤＣＣＨに対しては、送信の基本単位は、それぞれＥＣＣＥおよびＥＲＧＥと呼ばれることに留意されたい。対応する計算方式および送信は、ＰＤＣＣＨと異なり、特に、参照により本明細書に援用される、非特許文献１において見つけることができる。
【００５６】
ＰＤＣＣＨの検出において、移動端末は、全ての非ＤＲＸサブフレームにおいて、制御情報のＰＤＣＣＨ候補のセットを監視するものとし、監視とは、より詳細に後述するように、全てのＤＣＩフォーマットに従うセット内の各ＰＤＣＣＨに対して復号を試行するプロセスを意味し、上述の関連において「ブラインド復号」という用語としても使用される。
【００５７】
ユーザ機器におけるＰＤＣＣＨｓのブラインド復号
３ＧＰＰ  ＬＴＥ（リリース８／９）において、ユーザ機器は、所謂、「ブラインド復号」を用いて、ＰＤＣＣＨ内のＤＣＩ（ｓ）の検出を試みる。これは、ダウンリンクにおいて、シグナリングされたＰＤＣＣＨのＣＣＥのアグリゲーションサイズまたは変調・符号化方式を示す関連付けられた制御信号は無いが、ユーザ機器は、ＣＣＥのアグリゲーションサイズおよび変調・符号化方式の全ての可能性のある組み合わせに対してテストを行い、ＲＮＴＩに基づいて、ＰＤＣＣＨの復号成功を確認する。さらなる複雑性を制限するために、ユーザ機器がＰＤＣＣＨを探索し、つまり、ブラインド復号を行う、ＬＴＥのコンポーネントキャリアの制御信号領域内の共通および固有のサーチスペースが定義される。サーチスペースをどのように算出するかについての詳細な説明は、上に提供されている。
【００５８】
物理制御フォーマットインジケータチャネル（Physical Control Format Indicator Channel：ＰＣＦＩＣＨ）は、各サブフレームにおいて制御チャネル情報の送信のために使用されるＯＦＤＭシンボルの数を示すＣｏｎｔｒｏｌ  Ｆｏｒｍａｔ  Ｉｎｄｉｃａｔｏｒ（ＣＦＩ）を伝える。ｅＮｏｄｅＢは、サブフレームにおいて複数のＰＤＣＣＨを送信することができる。これらの送信は、ＰＤＣＣＨ送信のために割り当てられるリソースの効率的な使用とともに、ＵＥがそのＵＥに向けられたＰＤＣＣＨを見つけることができるように構造化される。
【００５９】
簡単な方法は、少なくともｅＮｏｄｅＢに対して、ｅＮｏｄｅＢがＰＣＦＩＣＨによって示されるＰＤＣＣＨリソース（またはＣＣＥ）のどこにでもあらゆるＰＤＣＣＨを配置できるようにすることである。この場合、ＵＥは、全ての可能性のあるＰＤＣＣＨの場所、ＰＤＣＣＨフォーマットおよびＤＣＩフォーマットをチェックし、正しいＣＲＣのこれらのメッセージに従う必要がある（ＣＲＣはＵＥ  ＩＤを使用してスクランブリングされていることを考慮している）。全ての可能性のある組み合わせのブラインド復号を実行することは、ＵＥに対して、全てのサブフレームにおいて多くのＰＤＣＣＨ復号を試みることを要求する。小さなシステム帯域幅に対しては、計算負荷は妥当でありうるが、可能なＰＤＣＣＨの場所の数の多い、大きなシステム帯域幅に対しては、かなりの負担となりうり、ＵＥ受信機における過度な電力消費につながる。
【００６０】
ＬＴＥで採用されている代替的な方法は、各ＵＥに対して、ＰＤＣＣＨが配置されうるＣＣＥの場所の制限されたセットを定義することである。このような制限は、どのＵＥに同一サブフレーム内でＰＤＣＣＨを送信できるかについて幾らかの制限につながり、ｅＮｏｄｅＢが、どのＵＥにリソースを与えることが出来るかを制限することになりうる。従って、良好なシステムパフォーマンスのためには、各ＵＥが利用できる可能性があるＰＤＣＣＨの場所のセットが小さすぎないことが重要である。ＵＥがＰＤＣＣＨｓを見つけうるＣＣＥの場所のセットは、サーチスペースとしてみなすことができる。ＬＴＥにおいて、サーチスペースは、各ＰＤＣＣＨ（ＤＣＩ）フォーマットに対する異なるサイズで構成される。さらに、別個の専用および共通サーチスペースが定義され、専用（ＵＥ固有とも呼ばれる）サーチスペースは、各ＵＥに対して個別に設定されるとともに、全てのＵＥに共通サーチスペースの範囲が通知される。なお、専用および共通サーチスペースは、所与のＵＥに対して重複してもよい。リリース１２まで、共通サーチスペースは、ＰＤＣＣＨについてのみサポートされ、専用サーチスペースは、ＰＤＣＣＨおよびＥＰＤＣＣＨについてもサポートされている。
【００６１】
小さなサーチスペースの場合、所与のサブフレームにおいて、ｅＮｏｄｅＢが、ＰＤＣＣＨｓの送信を望む全てのＵＥに対してＣＣＥリソースを見つけられない可能性が十分あり、これは、いくつかのＣＣＥの場所を割り当てたので、残りのＣＣＥの場所が特定のＵＥのサーチスペース内に存在しないことからである。このような次のサブフレームへのブロッキングが持続する可能性を最小化するために、（ＵＥ  ＩＤから導出される）ＵＥ固有のホッピングシーケンスが、サブフレームからサブフレームへのＵＥ固有のサーチスペースの開始位置に適用される。
【００６２】
ＰＤＣＣＨにおけるＵＥ固有のサーチスペースの開始位置は、通常、例えば、無線フレーム内のスロット番号、ＲＮＴＩ値、および他のパラメータに基づくハッシュ関数によって判定される。ＵＥ固有のサーチスペースは、１、２、４および８個のＣＣＥのアグリゲーションレベルを許容する。ＥＰＤＣＣＨについては、その位置はさらに設定可能であり、ＥＰＤＣＣＨは、８を超えるアグリゲーションレベルをサポートする。
【００６３】
ＬＴＥにおける更なる情報は、参照により本明細書に組み込まれている“ＬＴＥ−Ｔｈｅ  ＵＭＴＳ  Ｌｏｎｇ  Ｔｅｒｍ  Ｅｖｏｌｕｔｉｏｎ−Ｆｒｏｍ  Ｔｈｅｏｒｙ  ｔｏ  Ｐｒａｃｔｉｃｅ，Ｅｄｉｔｅｄ”  ｂｙ  Ｓｔｅｆａｎｉｅ  Ｓｅｓｉａ，Ｉｓｓａｍ  Ｔｏｕｆｉｋ，Ｍａｔｔｈｅｗ  Ｂａｋｅｒ、９．３章に提供されている。
【００６４】
リソース割当てタイプ
物理層リソース割当て通知を伝えることは、ＰＤＣＣＨの主要な機能の１つである。ＰＤＣＣＨの正確な使用は、ｅＮｏｄｅＢにおいて実装されているその他のアルゴリズム次第ではあるが、典型的な動作のいくつかの一般原理を概説することは可能である。各サブフレームにおいて、ＰＤＣＣＨは、周波数領域リソース割当てを示す。リソース割当ては、通常、局所化されており、これは、サブフレームの前方半分の物理リソースブロック（ＰＲＢ）が、そのサブフレームの後方半分の同じ周波数のＰＲＢとペアになっていることを意味する。
【００６５】
周波数領域リソース割当てのシグナリングのための主要な設計課題は、柔軟性とシグナリングオーバーヘッドとの間の良好な妥協点を見つけることである。最も柔軟で、ほぼ最もシンプルである方法は、各ＵＥに、各ビットが特定のＰＲＢを示すビットマップを送信することである。これは、小さなシステム帯域幅に対しては、良好に機能するが、大きなシステム帯域幅（つまり、最大１１０ＰＲＢ）に対しては、ビットマップが１１０ビットを必要とすることになり、これは、非常に大きなオーバーヘッドとなり、特に、ＰＤＣＣＨメッセージがデータパケットより大きくなりうる、小さなパケットに対しては、顕著となる。１つの可能な解決策は、全てのＵＥに対して、一体化されたリソース割当てメッセージを送信することだが、セルの境界に存在するＵＥも含め、全てのＵＥに確実に到達するための電力が必要とされる理由から不採用となった。ＬＴＥにおいて採用された方法は、次の通りである。異なるリソース割当てタイプ０、１および２は、異なる特性で定義される。
【００６６】
リソース割当てタイプ０：タイプ０のリソース割当てにおいて、ビットマップは、スケジューリングされたＵＥに割当てられたリソースブロックグループ（Resource Block Groups：ＲＢＧｓ）を示し、ＲＢＧは、連続するＰＲＢのセットである。ＲＢＧのサイズは、システム帯域幅に従うものであり、つまり、ダウンリンク帯域幅が大きくなると、ＲＢＧのサイズは、非線形に大きくなる。
【００６７】
リソース割当てタイプ１：タイプ１のリソース割当てにおいて、個別のＰＲＢを指定することができるが、コンポーネントキャリアまたはセルにおいて利用可能なＰＲＢのサブセット内のみとなる。使用されるビットマップは、タイプ０に対するものよりわずかに小さく、これは、いくつかのビットがＲＢＧのどのサブセットが指定されたのか、およびビットマップの位置におけるシフトを示すために使用されるからである。合計ビット数（追加フラグの使用を含む）は、タイプ０のためのものと同じである。このリソース割当て方法を提供するための動機づけは、周波数ダイバーシチを活用するために周波数領域に渡ってリソースを広げる際の柔軟性である。
【００６８】
リソース割当てタイプ２：タイプ２のリソース割当てにおいて、リソース割当て情報は、仮想リソースブロック（Virtual Resource Blocks：ＶＲＢｓ）の連続するセットを、リソース割当てメッセージ内の１ビットフラグによって示されるように、ＰＲＢに対する局所的または分散的マッピングのいずれかを用いて示す。ＰＲＢ割当ては、１つのＰＲＢからシステム帯域幅に広がるＰＲＢの最大数まで変化する。タイプ２のリソース割当てフィールドは、開始ＲＢ（ＲＢＳＴＡＲＴ）および連続的に割り当てられたＲＢ（ＬＣＲＢｓ）の観点における長さに対応するリソース指示値（Resource Indication Value：ＲＩＶ）から構成される。
【００６９】
異なるリソース割当てタイプについてのより特定的な情報は、非特許文献２（参照によって本明細書に組み込まれている）の７．１．６節の「リソース割当て（Ｒｅｓｏｕｒｃｅ  Ａｌｌｏｃａｔｉｏｎ）」（現行版１２．３．０）において見つけることができる。
さらに、アップリンクリソース割当てタイプ０および１は、アップリンクＤＣＩフォーマットでＰＤＣＣＨ／ＥＰＤＣＣＨに対してサポートされている。アップリンクのための異なるリソース割当てタイプについてのより特定的な情報は、非特許文献２（参照によって本明細書に組み込まれている）の８．１節の「アップリンクＤＣＩフォーマットのＰＤＣＣＨ／ＥＰＤＣＣＨに対するリソース割当て」（現行版１２．３．０）において、見つけることができる。
【００７０】
無認可の帯域（Unlicensed Bands）のＬＴＥ−認可補助アクセス（Licensed Assisted Access）
２０１４年の９月に３ＧＰＰは、無認可のスペクトルにおけるＬＴＥ動作について新たな検討項目とすることを開始した。ＬＴＥを無認可帯域へ拡張する理由は、認可帯域の限られた量にあわせ、常に増加し続ける無線広帯域データに対する需要である。従って、無認可のスペクトルは、携帯電話の事業者によって、事業者の提供するサービスを増やすための補足手段としてますます検討されている。Ｗｉ−Ｆｉ（登録商標）などの他の無線アクセス技術（Radio Access Technologies：ＲＡＴ）に依存することと比較して、無認可帯域におけるＬＴＥの利点は、ＬＴＥのプラットフォームを無認可スペクトルアクセスによって補間することで、事業者および供給業者が無線およびコアネットワークにおけるＬＴＥ／ＥＰＣハードウェアにおける既存または計画された投資を活用することを可能となることである。
【００７１】
しかしながら、無認可スペクトルアクセスは、無認可スペクトルにおいて、他の無線アクセス技術（Radio Access Technologies：ＲＡＴｓ）との共存が避けられないことから、認可スペクトルの品質に合致できないことが考慮される必要がある。従って、無認可帯域におけるＬＴＥの動作は、少なくとも、開始時に無認可スペクトルにおける単独の動作よりは、認可スペクトルにおけるＬＴＥの補足として検討される。この前提に基づいて、３ＧＰＰは、少なくとも１つの認可帯域をともなう無認可帯域におけるＬＴＥの動作のために認可補助アクセス（Licensed Assisted Access：ＬＡＡ）を設立した。しかしながら、将来の、ＬＡＡに依存しない無認可スペクトルにおけるＬＴＥの単独動作は、除外されない。
【００７２】
３ＧＰＰにおける現在意図された一般的なＬＡＡの方法は、既に規格化されたリリース１２のキャリアアグリゲーション（Carrier Aggregation：ＣＡ）フレームワークを出来る限り利用することであり、そのＣＡフレームワークの構成は、所謂、プライマリセル（Primary Cell：ＰＣｅｌｌ）キャリアおよび１つ以上のセカンダリ（Secondary Cell：ＳＣｅｌｌ）キャリアを備える。ＣＡは、一般的に、セルのセルフスケジューリング（スケジューリング情報およびユーザデータは同じコンポーネントキャリアで送信される）およびセル間のクロスキャリアスケジューリング（ＰＤＣＣＨ／ＥＰＤＣＣＨの観点におけるスケジューリング情報および異なるコンポーネントキャリアで送信されるＰＤＳＣＨ／ＰＵＳＣＨの観点におけるユーザデータ）をともにサポートする。
【００７３】
現在、３ＧＰＰにおいて想定されている基本的な方法では、ＰＣｅｌｌは、認可帯域で動作され、１つ以上のＳＣｅｌｌ（ｓ）が無認可帯域で動作される。この戦略の利点は、ＰＣｅｌｌは、制御メッセージ、並びに例えば、音声および動画などの高いサービスの質（Quality Of Service：ＱｏＳ）が求められるユーザデータの確実な送信のために使用できるが、無認可スペクトルのＰＣｅｌｌは、状況次第では、他のＲＡＴｓとの共存が避けられないことによる、ある程度の顕著なＱｏＳ低下を起こしうる。
【００７４】
ＲＡＮ１＃７８の２において、まだ最終決定は行われていないが、３ＧＰＰのＬＡＡの調査は、５ＧＨｚの無認可帯域に着目しすることが合意されている。従って、最重要課題の１つは、これらの無認可帯域で動作しているＷｉ−Ｆｉ（ＩＥＥＥ  ８０２．１１）システムとの共存である。ＬＴＥとＷｉ−Ｆｉなどの他の技術との間の公平な共存、および同一の無認可帯域における異なるＬＴＥ事業者間の公平性をサポートするために、無認可帯域に対するＬＴＥのチャネルアクセスは、地域および考慮される周波数帯域に依存する統制規則のあるセットに従う必要があり、５ＧＨｚの無認可帯域の動作のための規則上の要件の包括的な説明は、参照により本明細書に援用される、非特許文献４において記載されている。地域および帯域に依存するが、ＬＡＡの手順を設計するときに考慮される必要がある規則上の要件は、動的周波数選択（Dynamic Frequency Selection：ＤＦＳ）、送信電力制御（Transmit Power Control：ＴＰＣ）、Ｌｉｓｔｅｎ  Ｂｅｆｏｒｅ  Ｔａｌｋ（ＬＢＴ）、および制限された最大送信期間の不連続送信を含む。３ＧＰＰの意図は、ＬＡＡのための１つのグローバルフレームワークに向けられており、これは、基本的に、５ＧＨｚの異なる地域および帯域のための全ての要件がシステム設計に考慮されていなければならないことを意味する。
【００７５】
ＤＦＳは、レーダシステムからの干渉を検出するため、およびこれらのシステムとの同一チャネルでの動作を回避するために、ある地域および帯域において要求される。意図としては、さらに、スペクトルのほぼ一様な負荷を達成することにある。ＤＦＳの動作および対応する要求は、マスタスレーブの原則と関連付けられている。マスタは、レーダーの干渉を検出するものとするが、レーダー検出を実施するために、マスタに関連付けられている他の装置に依存することもできる。
【００７６】
５ＧＨｚの無認可帯域における動作は、多くの領域において、認可帯域における動作と比較して、むしろ低送信電力レベルに制限され、小さいカバレッジエリアとなる。仮に、認可および無認可キャリアは、同一の電力で送信されたとしても、通常、５ＧＨｚ帯における無認可キャリアは、信号に対して増加したパスロスとシャドーイングの影響により、２ＧＨｚ帯域における認可セルより、小さいカバレッジエリアをサポートすることが予期される。ある領域および帯域に対するさらなる要件は、同一の無認可帯域で動作している他の装置に対して発生する干渉の平均レベルを削減するためのＴＰＣの使用である。
【００７７】
ＬＢＴに関する欧州の規制に従って、装置は、無線チャネルを占有する前に、Ｃｌｅａｒ  Ｃｈａｎｎｅｌ  Ａｓｓｅｓｓｍｅｎｔ（ＣＣＡ）を行う必要がある。エネルギー検出に基づいてチャネルがフリーであることを検出後のみ、無認可チャネルの送信を開始するが許可されている。機器は、ＣＣＡ期間中のある最小の期間、チャネルを観察する必要がある。検出されたエネルギーレベルが設定されたＣＣＡの閾値を超える場合、チャネルは占有されているとみなされる。チャネルがフリーであると分類された場合、機器は、直ちに送信を開始することが許可されている。最大送信期間は、これにより、同一の帯域で動作している他の装置との公平なリソース共有を促進するために制限される。
【００７８】
異なる規制上の要件を考慮して、無認可帯域での動作のためにＬＴＥの規格は、認可帯域における動作に限定された現在のリリース１２の規格と比べていくつかの変更が必要となることは明らかである。
【先行技術文献】
【非特許文献】
【００７９】
【非特許文献１】３ＧＰＰ  ＴＳ  ３６．２１１，“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ（Ｒｅｌｅａｓｅ  ８），”ｖｅｒｓｉｏｎ  ８．９．０  ｏｒ  ９．０．０  ｈｔｔｐ：／／ｗｗｗ．３ｇｐｐ．ｏｒｇ
【非特許文献２】３ＧＰＰ，ＴＳ  ３６．２１３，“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｌａｙｅｒ  ｐｒｏｃｅｄｕｒｅｓ”
【非特許文献３】３ＧＰＰ，ＴＳ  ３６．２１２，“Ｍｕｌｔｉｐｌｅｘｉｎｇ  ａｎｄ  ｃｈａｎｎｅｌ  ｃｏｄｉｎｇ,” ｖｅｒｓｉｏｎ  １２．２．０  ｈｔｔｐ：／／ｗｗｗ．３ｇｐｐ．ｏｒｇ
【非特許文献４】Ｒ１−１４４３４８，“Ｒｅｇｕｌａｔｏｒｙ  Ｒｅｑｕｉｒｅｍｅｎｔｓ  ｆｏｒ  Ｕｎｌｉｃｅｎｓｅｄ  Ｓｐｅｃｔｒｕｍ，”Ａｌｃａｔｅｌ−Ｌｕｃｅｎｔ  ｅｔ  ａｌ．，  ＲＡＮ１＃７８ｂｉｓ，Ｓｅｐ．２０１４
【発明の概要】
【発明が解決しようとする課題】
【００８０】
１つの非限定的かつ例示的な実施形態は、移動通信システムにおいて、Ｐｈｙｓｉｃａｌ  Ｄｏｗｎｌｉｎｋ  Ｃｏｎｔｒｏｌ  Ｃｈａｎｎｅｌ（ＰＤＣＣＨ）割当てを受信するための移動端末を提供する。独立請求項は、非限定的かつ例示的な実施形態を提供する。有利な実施形態は、従属請求項の対象である。
【課題を解決するための手段】
【００８１】
対応して、１つの一般的な態様において、本明細書に開示された技術は、複数のサービングセルを備える移動通信システムにおいて、Ｐｈｙｓｉｃａｌ  Ｄｏｗｎｌｉｎｋ  Ｃｏｎｔｒｏｌ  ＣＨａｎｎｅｌ（ＰＤＣＣＨ）割当てを受信するための移動局を主題とする。前記移動局に、前記複数のサービングセルのうち、異なるサービングセルインデックスを有する少なくとも２つのサービングセルが設定される場合、
−前記移動局は、前記少なくとも２つのサービングセルに対して、前記移動局固有であって、前記移動局に設定される前記少なくとも２つのサービングセルの前記インデックスから独立して判定される同一のサーチスペースを定義するＰＤＣＣＨ割当ての候補の同一のセットを監視し、
−前記移動局は、前記少なくとも２つのサービングセルに対して、前記移動局に設定される前記少なくとも２つのサービングセルを識別するために受信されたＰＤＣＣＨ割当てにおけるＣａｒｒｉｅｒ  Ｉｎｄｉｃａｔｏｒ  Ｆｉｅｌｄ（ＣＩＦ）値を使用して前記監視される候補の同一のセットの中からＰＤＣＣＨ割当てを受信する。
前記受信されたＰＤＣＣＨ割当てに含まれる前記ＣＩＦ値は、前記移動局に設定される前記少なくとも２つのサービングセルのそれぞれのインデックスに対応する。
【００８２】
上の実施形態に加えて、または上の実施形態に代えて使用できる、本開示の実施形態の有利な変形形態によると、前記移動局は、少なくとも１つのＲＲＣ再設定メッセージを受信し、前記少なくともＲＲＣ再設定メッセージに応答して前記複数のサービングセルのうち前記少なくとも２つのサービングセルが前記移動局に設定される。
【００８３】
上の実施形態に加えて、または上の実施形態に代えて使用できる、本開示の実施形態の有利な変形形態によると、前記移動局によって受信される前記少なくとも１つのＲＲＣ再設定メッセージは、前記少なくとも２つのサービングセルに対する同一のサーチスペースを独立して判定するための同一のｎＣＩ値を含む。
【００８４】
上の実施形態に加えて、または上の実施形態に代えて使用できる、本開示の実施形態の有利な変形形態によると、前記移動局によって受信される前記少なくとも１つのＲＲＣ再設定メッセージは、前記少なくとも２つのサービングセルのそれぞれに対して、前記少なくとも２つのサービングセルに対する前記同一のサーチスペースを判定する前記ｎＣＩ値が前記移動局に設定される前記少なくとも２つのサービングセルの前記インデックスから独立しているように、
−異なるサービングセルインデックスと、
−前記同一のｎＣＩ値と、を含む。
【００８５】
上の実施形態に加えて、または上の実施形態に代えて使用できる、本開示の実施形態の有利な変形形態によると、前記少なくとも２つのサービングセルに対する前記同一のサーチスペースＳ（Ｌ）ｋは、前記同一のｎＣＩ値を用いて次式を適用して判定される。
【００８６】
【数３】
0006565040.tif 000006
上記の式において、アグリゲーションレベル、Ｌ、は、
【数４】
0006565040.tif 000007
として定義され、i＝0,…, L−1であり、Ｙｋは、Ｙｋ＝（Ａ・Ｙｋ−１）ｍｏｄＤとして定義され、移動局固有のサーチスペースに対しては、ｍ’＝ｍ＋Ｍ（Ｌ）・ｎＣＩであり、
ｎＣＩは、前記受信されたＲＲＣ再設定メッセージに含まれ、Ｍ（Ｌ）は、所与のサーチスペースにおいて監視対象のＰＤＣＣＨ割当ての候補のセットの数であり、ＮＣＥＥ，ｋは、サブフレームｋの制御領域内のＣＣＥの合計数であり、Ｙ−１＝ｎＲＮＴＩ≠０であり、
Ａ＝３９８２７、Ｄ＝６５５３７であって、
【数５】
0006565040.tif 000008
であり、ｎｓは、無線フレーム内のスロット番号である。
【００８７】
上の実施形態に加えて、または上の実施形態に代えて使用できる、本開示の実施形態の有利な変形形態によると、前記ｎＣＩ値を使用する代わりに、前記移動局によって受信される前記１つのＲＲＣ再設定メッセージは、前記少なくとも２つのサービングセルに対する前記同一のサーチスペースを独立して判定するために同一のｎＳＳ値を含む。
【００８８】
上の実施形態に加えて、または上の実施形態に代えて使用できる、本開示の実施形態の有利な変形形態によると、前記移動局によって受信される前記少なくとも１つのＲＲＣ再設定メッセージは、前記少なくとも２つのサービングセルのそれぞれに対して、前記少なくとも２つのサービングセルに対する前記同一のサーチスペースを判定する前記ｎＳＳ値が前記移動局に設定される前記少なくとも２つのサービングセルの前記インデックスから独立しているように、
−異なるサービングセルインデックスと、
−前記同一のｎＳＳ値と、を含む。
【００８９】
上の実施形態に加えて、または上の実施形態に代えて使用できる、本開示の実施形態の有利な変形形態によると、前記少なくとも２つのサービングセルに対する前記同一のサーチスペースＳ（Ｌ）ｋは、前記同一のｎｓｓ値を用いて次式を適用して判定される。
【００９０】
【数６】
0006565040.tif 000009
上記の式において、アグリゲーションレベル、Ｌ、は、
【数７】
0006565040.tif 000010
として定義され、i＝0,…, L−1であり、Ｙｋは、Ｙｋ＝（Ａ・Ｙｋ−１）ｍｏｄＤとして定義され、移動局固有のサーチスペースに対しては、ｍ’＝ｍ＋Ｍ（Ｌ）・ｎＳＳであり、
ｎＳＳは、前記受信されたＲＲＣ再設定メッセージに含まれ、Ｍ（Ｌ）は、所与のサーチスペースにおいて監視対象のＰＤＣＣＨ割当ての候補のセットの数であり、ＮＣＥＥ，ｋは、サブフレームｋの制御領域内のＣＣＥの合計数であり、Ｙ―１＝ｎＲＮＴＩ≠０であり、
Ａ＝３９８２７、Ｄ＝６５５３７であって、
【数８】
0006565040.tif 000011
であり、ｎｓは、無線フレーム内のスロット番号である。
【００９１】
対応して、１つの一般的な態様において、本明細書に開示された技術は、複数のサービングセルを備える移動通信システムにおいて、Ｐｈｙｓｉｃａｌ  Ｄｏｗｎｌｉｎｋ  Ｃｏｎｔｒｏｌ  ＣＨａｎｎｅｌ（ＰＤＣＣＨ）割当てを受信するための移動局を主題とする。前記移動局に、前記複数のサービングセルのうち、同一のサービングセルインデックスを有する少なくとも２つのサービングセルが設定される場合、以下となる。
【００９２】
−前記移動局は、前記少なくとも２つのサービングセルに対して、前記移動局固有であって、前記移動局に設定される前記少なくとも２つのサービングセルの前記同一のインデックスに従って判定される同一のサーチスペースを定義するＰＤＣＣＨ割当ての候補の同一のセットを監視し、
−前記移動局は、前記受信されたＰＤＣＣＨ割当てにおけるＣａｒｒｉｅｒ  Ｉｎｄｉｃａｔｏｒ  Ｆｉｅｌｄ（ＣＩＦ）値から独立して、前記移動局に設定される前記少なくとも２つのサービングセルを識別する前記監視対象の候補の同一のセットの中からＰＤＣＣＨ割当てを前記少なくとも２つのサービングセルに対して受信する。
【００９３】
前記受信されたＰＤＣＣＨ割当てに含まれる前記ＣＩＦ値は、前記移動局に設定される前記少なくとも２つのサービングセルのそれぞれのインデックスに対応する。
【００９４】
上の実施形態に加えて、または上の実施形態に代えて使用できる、本開示の実施形態の有利な変形形態によると、前記移動局は、少なくとも１つのＲＲＣ再設定メッセージを受信し、このＲＲＣ再設定メッセージに応答して前記複数のサービングセルのうち前記少なくとも２つのサービングセルが前記移動局に設定される。
【００９５】
上の実施形態に加えて、または上の実施形態に代えて使用できる、本開示の実施形態の有利な変形形態によると、前記移動局によって受信される前記ＰＤＣＣＨ割当ては、それぞれ、リソースブロック割当て（Resource Block Assignment：ＲＢＡ）フィールドを含み、前記ＲＢＡフィールドは、前記少なくとも２つのサービングセルを識別するための情報を含む。
【００９６】
上の実施形態に加えて、または上の実施形態に代えて使用できる、本開示の実施形態の有利な変形形態によると、前記受信されたＰＤＣＣＨ割当てのそれぞれにおける前記ＲＢＡフィールドに含まれる前記少なくとも２つのサービングセルを識別するための前記情報は、同一のビット数を維持したまま、割当て情報と組み合わされる。
【００９７】
上の実施形態に加えて、または上の実施形態に代えて使用できる、本開示の実施形態の有利な変形形態によると、前記移動局によって受信されるＰＤＣＣＨ割当ては、前記少なくとも２つのサービングセルを識別するための別のフィールドを含む専用フォーマットに存在する。
【００９８】
対応して、１つの一般的な態様において、本明細書に開示された技術は、複数のサービングセルを備える移動通信システムにおいて、Ｐｈｙｓｉｃａｌ  Ｄｏｗｎｌｉｎｋ  Ｃｏｎｔｒｏｌ  ＣＨａｎｎｅｌ（ＰＤＣＣＨ）割当てを受信するための移動局を主題とする。前記移動局に、前記複数のサービングセルのうち、同一のサービングセルインデックスを有する少なくとも２つのサービングセルが設定される場合、以下となる。
【００９９】
−前記移動局は、前記少なくとも２つのサービングセルに対して、前記移動局固有であって、サーチスペースが前記複数のサービングセルの残りに対するサーチスペースと重複が無いように移動局に設定される前記少なくとも２つのサービングセルの同一インデックスに従って判定される同一のサーチスペースを定義するＰＤＣＣＨ割当ての候補の同一のセットを監視し、
−前記移動局は、前記少なくとも２つのサービングセルに対して、前記移動局に設定される前記少なくとも２つのサービングセルを識別するために前記受信されたＰＤＣＣＨ割当てにおけるＣａｒｒｉｅｒ  Ｉｎｄｉｃａｔｏｒ  Ｆｉｅｌｄ（ＣＩＦ）値を使用して前記監視される候補の同一のセットの中からＰＤＣＣＨ割当てを受信する。
【０１００】
前記受信されたＰＤＣＣＨ割当てに含まれる前記ＣＩＦ値は、前記移動局に設定される前記少なくとも２つのサービングセルのインデックスから独立している。
【０１０１】
上の実施形態に加えて、または上の実施形態に代えて使用できる、本開示の実施形態の有利な変形形態によると、前記移動局は、少なくとも１つのＲＲＣ再設定メッセージを受信し、このＲＲＣ再設定メッセージに応答して前記複数のサービングセルのうち前記少なくとも２つのサービングセルが前記移動局に設定される。
【０１０２】
上の実施形態に加えて、または上の実施形態に代えて使用できる、本開示の実施形態の有利な変形形態によると、前記少なくとも２つのサービングセルに対する、同一に定義された非重複サーチスペースは、複数のサービングセルの中の異なるサービングセルに対するサーチスペースから分離されるように判定される。
【０１０３】
上の実施形態に加えて、または上の実施形態に代えて使用できる、本開示の実施形態の有利な変形形態によると、同一の、非重複のサーチスペースを定義するＰＤＣＣＨ割当ての候補のセットは、Ｅ−ＰＤＣＣＨサーチスペースとして設定され、異なるサービングセルに対するサーチスペースを定義するＰＤＣＣＨ割当ての候補のセットは、ＰＤＣＣＨとして設定される。
【０１０４】
対応して、１つの一般的な態様において、本明細書に開示された技術は、複数のサービングセルを備える移動通信システムにおいて、Ｐｈｙｓｉｃａｌ  Ｄｏｗｎｌｉｎｋ  Ｃｏｎｔｒｏｌ  ＣＨａｎｎｅｌ（ＰＤＣＣＨ）割当てを受信するための方法を主題とし、前記方法のステップは、移動局によって実行される。前記移動局に、前記複数のサービングセルのうち、異なるサービングセルインデックスを有する少なくとも２つのサービングセルが設定される場合、以下となる。
【０１０５】
−前記少なくとも２つのサービングセルに対して、前記移動局固有であって、前記移動局に設定される前記少なくとも２つのサービングセルの前記インデックスから独立して判定される同一のサーチスペースを定義するＰＤＣＣＨ割当ての候補の同一のセットを、前記移動局によって監視し、
−前記少なくとも２つのサービングセルに対して、前記移動局に設定される前記少なくとも２つのサービングセルを識別するために受信されたＰＤＣＣＨ割当てにおけるＣａｒｒｉｅｒ  Ｉｎｄｉｃａｔｏｒ  Ｆｉｅｌｄ（ＣＩＦ）値を使用して、前記監視される候補の同一のセットの中からＰＤＣＣＨ割当てを、移動局によって受信する。
【０１０６】
前記受信されたＰＤＣＣＨ割当てに含まれる前記ＣＩＦ値は、前記移動局に設定される前記少なくとも２つのサービングセルのそれぞれのインデックスに対応する。
【０１０７】
上の実施形態に加えて、または上の実施形態に代えて使用できる、本開示の実施形態の有利な変形形態によると、前記移動局は、少なくとも１つのＲＲＣ再設定メッセージを受信し、このＲＲＣ再設定メッセージに応答して前記複数のサービングセルのうち前記少なくとも２つのサービングセルが前記移動局に設定される。
【０１０８】
上の実施形態に加えて、または上の実施形態に代えて使用できる、本開示の実施形態の有利な変形形態によると、前記移動局によって受信される前記少なくとも１つのＲＲＣ再設定メッセージは、前記少なくとも２つのサービングセルに対する同一のサーチスペースを独立して判定するための同一のｎＣＩ値を含む。
【０１０９】
上の実施形態に加えて、または上の実施形態に代えて使用できる、本開示の実施形態の有利な変形形態によると、前記移動局によって受信される前記少なくとも１つのＲＲＣ再設定メッセージは、前記少なくとも２つのサービングセルのそれぞれに対して、前記少なくとも２つのサービングセルに対する前記同一のサーチスペースを判定する前記ｎＣＩ値が前記移動局に設定される前記少なくとも２つのサービングセルの前記インデックスから独立しているように、
−異なるサービングセルインデックスと、
−前記同一のｎＣＩ値と、を含む。
【０１１０】
上の実施形態に加えて、または上の実施形態に代えて使用できる、本開示の実施形態の有利な変形形態によると、前記少なくとも２つのサービングセルに対する前記同一のサーチスペースＳ（Ｌ）ｋは、前記同一のｎＣＩ値を用いて次式を適用して判定される。
【０１１１】
【数９】
0006565040.tif 000012
上記の式において、アグリゲーションレベル、Ｌ、は、
【数１０】
0006565040.tif 000013
として定義され、i＝0,…, L−1であり、Ｙｋは、Ｙｋ＝（Ａ・Ｙｋ―１）ｍｏｄＤとして定義され、移動局固有のサーチスペースに対しては、ｍ’＝ｍ＋Ｍ（Ｌ）・ｎＣＩであり、
ｎＣＩは、前記受信されたＲＲＣ再設定メッセージに含まれ、Ｍ（Ｌ）は、所与のサーチスペースにおいて監視対象のＰＤＣＣＨ割当ての候補のセットの数であり、ＮＣＥＥ，ｋは、サブフレームｋの制御領域内のＣＣＥの合計数であり、Ｙ―１＝ｎＲＮＴＩ≠０であり、
Ａ＝３９８２７、Ｄ＝６５５３７であって、
【数１１】
0006565040.tif 000014
であり、ｎｓは、無線フレーム内のスロット番号である。
【０１１２】
上の実施形態に加えて、または上の実施形態に代えて使用できる、本開示の実施形態の有利な変形形態によると、前記ｎＣＩ値を使用する代わりに、前記移動局によって受信される前記１つのＲＲＣ再設定メッセージは、前記少なくとも２つのサービングセルに対する前記同一のサーチスペースを独立して判定するために同一のｎＳＳ値を含む。
【０１１３】
上の実施形態に加えて、または上の実施形態に代えて使用できる、本開示の実施形態の有利な変形形態によると、前記移動局によって受信される前記少なくとも１つのＲＲＣ再設定メッセージは、前記少なくとも２つのサービングセルのそれぞれに対して、前記少なくとも２つのサービングセルに対する前記同一のサーチスペースを判定する前記ｎＳＳ値が前記移動局に設定される前記少なくとも２つのサービングセルの前記インデックスから独立しているように、
−異なるサービングセルインデックスと、
−前記同一のｎＳＳ値と、を含む。
【０１１４】
上の実施形態に加えて、または上の実施形態に代えて使用できる、本開示の実施形態の有利な変形形態によると、前記少なくとも２つのサービングセルに対する前記同一のサーチスペースＳ（Ｌ）ｋは、前記同一のｎｓｓ値を用いて次式を適用して判定される。
【０１１５】
【数１２】
0006565040.tif 000015
上記の式において、アグリゲーションレベル、Ｌ、は、
【数１３】
0006565040.tif 000016
として定義され、i＝0,…, L−1であり、Ｙｋは、Ｙｋ＝（Ａ・Ｙｋ−１）ｍｏｄＤとして定義され、移動局固有のサーチスペースに対しては、ｍ’＝ｍ＋Ｍ（Ｌ）・ｎＳＳであり、
ｎＳＳは、前記受信されたＲＲＣ再設定メッセージに含まれ、Ｍ（Ｌ）は、所与のサーチスペースにおいて監視対象のＰＤＣＣＨ割当ての候補のセットの数であり、ＮＣＥＥ，ｋは、サブフレームｋの制御領域内のＣＣＥの合計数であり、Ｙ−１＝ｎＲＮＴＩ≠０であり、
Ａ＝３９８２７、Ｄ＝６５５３７であって、
【数１４】
0006565040.tif 000017
であり、ｎｓは、無線フレーム内のスロット番号である。
【０１１６】
対応して、１つの一般的な態様において、本明細書に開示された技術は、複数のサービングセルを備える移動通信システムにおいて、Ｐｈｙｓｉｃａｌ  Ｄｏｗｎｌｉｎｋ  Ｃｏｎｔｒｏｌ  ＣＨａｎｎｅｌ（ＰＤＣＣＨ）割当てを受信するための方法を主題とし、前記方法のステップは、移動局によって実行される。前記移動局に、前記複数のサービングセルのうち、同一のサービングセルインデックスを有する少なくとも２つのサービングセルが設定される場合、以下となる。
【０１１７】
−前記少なくとも２つのサービングセルに対して、前記移動局固有であって、前記移動局に設定される前記少なくとも２つのサービングセルの前記同一のインデックスに従って判定される同一のサーチスペースを定義するＰＤＣＣＨ割当ての候補の同一のセットを、前記移動局によって監視し、
−前記少なくとも２つのサービングセルに対して、受信されたＰＤＣＣＨ割当てにおけるＣａｒｒｉｅｒ  Ｉｎｄｉｃａｔｏｒ  Ｆｉｅｌｄ（ＣＩＦ）値から独立して、前記移動局に設定される前記少なくとも２つのサービングセルを識別する前記監視される候補の同一のセットの中からＰＤＣＣＨ割当てを前記移動局によって受信する。
【０１１８】
前記受信されたＰＤＣＣＨ割当てに含まれる前記ＣＩＦ値は、前記移動局に設定される前記少なくとも２つのサービングセルのそれぞれのインデックスに対応する。
【０１１９】
上の実施形態に加えて、または上の実施形態に代えて使用できる、本開示の実施形態の有利な変形形態によると、前記移動局は、少なくとも１つのＲＲＣ再設定メッセージを受信し、このＲＲＣ再設定メッセージに応答して前記複数のサービングセルのうち前記少なくとも２つのサービングセルが前記移動局に設定される。
【０１２０】
上の実施形態に加えて、または上の実施形態に代えて使用できる、本開示の実施形態の有利な変形形態によると、前記移動局によって受信される前記ＰＤＣＣＨ割当ては、それぞれ、リソースブロック割当て（Resource Block Assignment：ＲＢＡ）フィールドを含み、前記ＲＢＡフィールドは、前記少なくとも２つのサービングセルを識別するための情報を含む。
【０１２１】
上の実施形態に加えて、または上の実施形態に代えて使用できる、本開示の実施形態の有利な変形形態によると、前記受信されたＰＤＣＣＨ割当てのそれぞれにおける前記ＲＢＡフィールドに含まれる、前記少なくとも２つのサービングセルを識別するための前記情報は、同一のビット数を維持したまま、割当て情報と組み合わされる。
【０１２２】
上の実施形態に加えて、または上の実施形態に代えて使用できる、本開示の実施形態の有利な変形形態によると、前記移動局によって受信されるＰＤＣＣＨ割当ては、前記少なくとも２つのサービングセルを識別するための別のフィールドを含む専用フォーマットに存在する。
【０１２３】
対応して、１つの一般的な態様において、本明細書に開示された技術は、複数のサービングセルを備える移動通信システムにおいて、Ｐｈｙｓｉｃａｌ  Ｄｏｗｎｌｉｎｋ  Ｃｏｎｔｒｏｌ  ＣＨａｎｎｅｌ（ＰＤＣＣＨ）割当てを受信するための方法を主題とし、前記方法のステップは移動局によって実行される。前記移動局に、前記複数のサービングセルのうち、同一のサービングセルインデックスを有する少なくとも２つのサービングセルが設定される場合、以下となる。
【０１２４】
−前記少なくとも２つのサービングセルに対して、前記移動局固有であって、サーチスペースが前記複数のサービングセルの残りに対するサーチスペースと重複が無いように、移動局に設定される前記少なくとも２つのサービングセルの同一インデックスに従って判定されるサーチスペースを定義するＰＤＣＣＨ割当ての候補の同一のセットを前記移動局によって監視し、
−前記移動局に設定される前記少なくとも２つのサービングセルを識別するために前記受信されたＰＤＣＣＨ割当てにおけるＣａｒｒｉｅｒ  Ｉｎｄｉｃａｔｏｒ  Ｆｉｅｌｄ（ＣＩＦ）値を使用して前記監視対象の候補の同一のセットの中からＰＤＣＣＨ割当てを前記少なくとも２つのサービングセルに対して前記移動局によって受信する。
【０１２５】
前記受信されたＰＤＣＣＨ割当てに含まれる前記ＣＩＦ値は、前記移動局に設定される前記少なくとも２つのサービングセルのインデックスから独立している。
【０１２６】
上の実施形態に加えて、または上の実施形態に代えて使用できる、本開示の実施形態の有利な変形形態によると、前記移動局は、少なくとも１つのＲＲＣ再設定メッセージを受信し、このＲＲＣ再設定メッセージに応答して前記複数のサービングセルのうち前記少なくとも２つのサービングセルが前記移動局に設定される。
【０１２７】
上の実施形態に加えて、または上の実施形態に代えて使用できる、本開示の実施形態の有利な変形形態によると、前記少なくとも２つのサービングセルに対する、同一に定義された非重複サーチスペースは、複数のサービングセルの中の異なるサービングセルに対するサーチスペースから分離されるように判定される。
【０１２８】
上の実施形態に加えて、または上の実施形態に代えて使用できる、本開示の実施形態の有利な変形形態によると、同一の、非重複のサーチスペースを定義するＰＤＣＣＨ割当ての候補のセットは、Ｅ−ＰＤＣＣＨサーチスペースとして設定され、異なるサービングセルに対するサーチスペースを定義するＰＤＣＣＨ割当ての候補のセットは、ＰＤＣＣＨとして設定される。
【０１２９】
対応して、１つの一般的な態様において、本明細書に開示された技術は、複数のサービングセルを備える移動通信システムにおいて、移動局のプロセッサに実行されるとき、前記移動局にＰｈｙｓｉｃａｌ  Ｄｏｗｎｌｉｎｋ  Ｃｏｎｔｒｏｌ  ＣＨａｎｎｅｌ（ＰＤＣＣＨ）割当てを受信させるインストラクションを格納したコンピュータ可読記憶媒体を主題とする。前記移動局に、前記複数のサービングセルのうち、異なるサービングセルインデックスを有する少なくとも２つのサービングセルが設定される場合、以下となる。
【０１３０】
−前記少なくとも２つのサービングセルに対して、前記移動局固有であって、前記移動局に設定される前記少なくとも２つのサービングセルの前記インデックスから独立して判定される同一のサーチスペースを定義するＰＤＣＣＨ割当ての候補の同一のセットを前記移動局によって監視し、
−前記移動局に設定される前記少なくとも２つのサービングセルを識別するために受信されたＰＤＣＣＨ割当てにおけるＣａｒｒｉｅｒ  Ｉｎｄｉｃａｔｏｒ  Ｆｉｅｌｄ（ＣＩＦ）値を使用して前記監視される候補の同一のセットの中からＰＤＣＣＨ割当てを前記少なくとも２つのサービングセルに対して前記移動局によって受信する。
【０１３１】
前記受信されたＰＤＣＣＨ割当てに含まれる前記ＣＩＦ値は、前記移動局に設定される前記少なくとも２つのサービングセルのそれぞれのインデックスに対応する。
【０１３２】
対応して、１つの一般的な態様において、本明細書に開示された技術は、複数のサービングセルを備える移動通信システムにおいて、移動局のプロセッサに実行されるとき、前記移動局にＰｈｙｓｉｃａｌ  Ｄｏｗｎｌｉｎｋ  Ｃｏｎｔｒｏｌ  ＣＨａｎｎｅｌ（ＰＤＣＣＨ）割当てを受信させるインストラクションを格納したコンピュータ可読記憶媒体を主題とする。前記移動局に、前記複数のサービングセルのうち、同一のサービングセルインデックスを有する少なくとも２つのサービングセルが設定される場合、以下となる。
【０１３３】
−前記少なくとも２つのサービングセルに対して、前記移動局固有であって、前記移動局に設定される前記少なくとも２つのサービングセルの前記同一のインデックスに従って判定される同一のサーチスペースを定義するＰＤＣＣＨ割当ての候補の同一のセットを前記移動局によって監視し、
−前記受信されたＰＤＣＣＨ割当てにおけるＣａｒｒｉｅｒ  Ｉｎｄｉｃａｔｏｒ  Ｆｉｅｌｄ（ＣＩＦ）値から独立して、前記移動局に設定される前記少なくとも２つのサービングセルを識別する前記監視される候補の同一のセットの中からＰＤＣＣＨ割当てを前記少なくとも２つのサービングセルに対して前記移動局によって受信する。
【０１３４】
前記受信されたＰＤＣＣＨ割当てに含まれる前記ＣＩＦ値は、前記移動局に設定される前記少なくとも２つのサービングセルのそれぞれのインデックスに対応する。
【０１３５】
対応して、１つの一般的な態様において、本明細書に開示された技術は、複数のサービングセルを備える移動通信システムにおいて、移動局のプロセッサに実行されるとき、前記移動局にＰｈｙｓｉｃａｌ  Ｄｏｗｎｌｉｎｋ  Ｃｏｎｔｒｏｌ  ＣＨａｎｎｅｌ（ＰＤＣＣＨ）割当てを受信させるインストラクションを格納したコンピュータ可読記憶媒体を主題とする。前記移動局に、前記複数のサービングセルのうち、同一のサービングセルインデックスを有する少なくとも２つのサービングセルが設定される場合、以下となる。
【０１３６】
−前記少なくとも２つのサービングセルに対して、前記移動局固有であって、サーチスペースが前記複数のサービングセルの残りに対するサーチスペースと重複が無いように、移動局に設定される前記少なくとも２つのサービングセルの同一インデックスに従って判定されるサーチスペースを定義するＰＤＣＣＨ割当ての候補の同一のセットを前記移動局によって監視し、
−前記移動局に設定される前記少なくとも２つのサービングセルを識別するために前記受信されたＰＤＣＣＨ割当てにおけるＣａｒｒｉｅｒ  Ｉｎｄｉｃａｔｏｒ  Ｆｉｅｌｄ（ＣＩＦ）値を使用して前記監視対象の候補の同一のセットの中からＰＤＣＣＨ割当てを前記少なくとも２つのサービングセルに対して前記移動局によって受信し、
前記受信されたＰＤＣＣＨ割当てに含まれる前記ＣＩＦ値は、前記移動局に設定される前記少なくとも２つのサービングセルのインデックスから独立している。
【０１３７】
開示された実施形態のさらなる利益および利点は、明細書および図面から明らかになる。利益および／または利点は、明細書および図面で開示されるさまざまな実施形態および特徴によって個々に提供されてもよく、それらの１つまたは複数を取得するためにすべて提供される必要はない。
【０１３８】
これらの一般的および特定の態様は、システム、方法およびコンピュータプログラム、並びにこれらの組み合わせを用いて実装されて良い。
【図面の簡単な説明】
【０１３９】
【図１】図１は、３ＧＰＰ  ＬＴＥシステムの例示的なアーキテクチャを示す。
【図２】図２は、３ＧＰＰ  ＬＴＥの全体的なＥ−ＵＴＲＡＮアーキテクチャの例示的な概観を示す。
【図３】図３は、３ＧＰＰ  ＬＴＥ（リリース８／９）に対して定義されたダウンリンクのコンポーネントキャリア上の例示的なサブフレーム境界を示す。
【図４】図４は、３ＧＰＰ  ＬＴＥ（リリース８／９）に対して定義されたダウンリンクスロットの例示的なダウンリンクのリソースグリッドを示す。
【図５】図５は、ダウンリンクおよびアップリンクそれぞれに対するアクティブ化されたキャリアアグリゲーションを有する３ＧＰＰ  ＬＴＥ（リリース１０）のレイヤ２構造を示す。
【図６】図６は、ダウンリンクおよびアップリンクそれぞれに対するアクティブ化されたキャリアアグリゲーションを有する３ＧＰＰ  ＬＴＥ（リリース１０）のレイヤ２構造を示す。
【図７Ａ】図７Ａは、３ＧＰＰ  ＬＴＥ（リリース１０）におけるＰＤＣＣＨのスケジューリング手順を詳述する。
【図７Ｂ】図７Ｂは、３ＧＰＰ  ＬＴＥ（リリース１０）におけるＰＤＣＣＨのクロスキャリアスケジューリング手順を詳述する。
【図８】図８は、実施形態の移動局によるＰＤＣＣＨ割当ての受信を例示する。
【図９】図９は、他の実施形態の移動局によるＰＤＣＣＨ割当ての受信の例示的なシーケンス図を示す。
【図１０】図１０は、さらなる実施形態の第１の例示的な実装の移動局によるＰＤＣＣＨ割当ての受信の例示的なシーケンス図を示す。
【図１１】図１１は、ＬＡＡおよびＬＴＥシナリオの混在した配備が適用されたときのＰＤＣＣＨ割当て機構の第１の例示的な実装の例を示す。
【図１２】図１２は、ＬＡＡおよびＬＴＥシナリオの混在した配備が適用されたときのＰＤＣＣＨ割当て機構の第１の例示的な実装の例を示す。
【図１３】図１３は、さらなる実施形態の第２の例示的な実装の移動局によるＰＤＣＣＨ割当ての受信の例示的なシーケンス図を示す。
【図１４】図１４は、ＬＡＡおよびＬＴＥシナリオの混在した配備が適用されたときのＰＤＣＣＨ割当て機構の第２の例示的な実装の例を示す。
【発明を実施するための形態】
【０１４０】
以下において、いくつかの実施形態を詳細に説明する。例示的な目的のためだけに、実施形態の大部分は、上の背景技術の節で部分的に論じた、３ＧＰＰ  ＬＴＥ（リリース８／９）およびＬＴＥ−Ａ（リリース１０／１１／１２）移動通信システムによる無線アクセス方式に関連して概説される。
【０１４１】
本開示は、有利には、例えば、上の背景技術の節で説明したような３ＧＰＰ  ＬＴＥ−Ａ（リリース１２）通信システムなどの移動通信システムにおいて、使用されうることに留意されたい。
【０１４２】
これらの実施形態は、３ＧＰＰ  ＬＴＥおよび／またはＬＴＥ−Ａにおいて指定された機能に関連した使用のため、および／またはこの機能の拡張のための、実装として説明される。この点において、３ＧＰＰ  ＬＴＥおよび／またはＬＴＥ−Ａという専門用語は、説明全体にわたって使用される。さらに、本開示の全容を詳述するために例示的な構成が探求される。
【０１４３】
これらの説明は、本開示を限定するものとしてではなく、本開示をよりよく理解するための実施形態の単なる一例として解釈されるべきである。当業者は、特許請求の範囲で提示された本開示の一般的原理が異なるシナリオに本明細書で明示的に説明されない方法で適用され得ることに気づくはずである。同様に、さまざまな実施形態の説明的な目的で仮定された以下のシナリオは、開示をそのようなものとして限定するべきではない。
【０１４４】
例示的な実施形態は、図８から図１４を参照して説明される。特に、例示的な実施形態は、移動通信システムに備えられた複数のサービングセルのうち、少なくとも２つのサービングセルが設定される移動局によって受信されるＰｈｙｓｉｃａｌ  Ｄｏｗｎｌｉｎｋ  Ｃｏｎｔｒｏｌ  Ｃｈａｎｎｅｌ（ＰＤＣＣＨ）の割当てに関連する。
【０１４５】
例示的に、複数のサービングセルのうち、少なくとも２つのサービングセルは、背景技術の節において論じた配備である、Ｌｉｃｅｎｓｅｄ  Ａｓｓｉｓｔｅｄ  Ａｃｃｅｓｓ（ＬＡＡ）における、複数の認可および無認可サービングセルのうちの無認可サービングセルと関連しうる。しかしながら、このＬＡＡおよびＬＴＥの混在する配備シナリオは、ＰＤＣＣＨ割当てを認可サービングセルだけとする制限として理解されるべきではない。
【０１４６】
むしろ、基本的概念は、複数のサービングセルを有する移動通信システムにおけるＰＤＣＣＨ割当てのあらゆる使用に関連し、ＰＤＣＣＨ割当てに関して現存するシステム制限を超えて割当て能力を向上することである。
【０１４７】
特に、異なるサービングセルの性能に対処することから１つの制限が生じる。サービングセルの割当ての場合、現在、割当て機構は、対応する設定メッセージを用いて移動局によってインデックス化される８つの異なるサービングセルの構成のみを許容する。特に、ＲＲＣ再設定メッセージは、ＴＳ  ３６．２１３の用語であるＳｅｒｖＣｅｌｌＩｎｄｅｘ、または、ＴＳ  ３６．３３１の用語であるＳＣｅｌｌＩｎｄｅｘ、３ビットのサービングセルインデックスフィールドを含み、これにより、サービングセルに対して８個のインデックスを生じる可能性がある。現在、可能性のある利用可能な８個の異なるサービングセルのうち、５個のみがサービングセルインデックスとしてインデックス化されうる。
【０１４８】
サーチスペースの定義から他の制限が生じる。背景技術の節で論じたとおり、サーチスペース内で送信されるＤＣＩフォーマットに対してだけでなく、サーチスペースの定義に対しても、特に、非特許文献２の９．１．１節の「ＰＤＣＣＨ割当て手順」および非特許文献３の５．３．３節の「Ｄｏｗｎｌｉｎｋ  Ｃｏｎｔｒｏｌ  Ｉｎｆｏｒｍａｔｉｏｎ」において、３ビットのキャリアインジケータフィールドが導入されており、キャリアインジケータに対して８個の値が生じる可能性がある。現在、可能性のある利用可能な８個の異なるキャリアのうち、５個のみがキャリアインジケータフィールド値として使用されうる。
【０１４９】
さらに、上記の制限は、ＰＤＣＣＨ割当ての使用に対する理論的な制限のみを指すが、これらのことから、既に、移動通信システムにおいて、多数のサービングセルとＰＤＣＣＨ割当ての利用を許容するより柔軟かつより拡張性のある機構に対する需要があることは明らかである。
【０１５０】
以下において、ＬＡＡおよびＬＴＥの混在するシナリオに対するこのようなＰＤＣＣＨ割当て機構の必要性を示す例を論じる。認可キャリアは、基地局がチャネルを利用するために、例えば、Ｗｉ−Ｆｉノードなど他と競うコンテンションベースのキャリアである。より多くの無認可キャリアが利用可能なとき、基地局が１つの無認可キャリアを占有する可能性は高い。
【０１５１】
従って、スケジューリング対象の利用可能な無認可キャリアの増加とともに、基地局のスループットも増加する。換言すれば、スケジューリング対象の利用可能な無認可キャリアの数が多いほど、より多くの無認可キャリアが設定されるべきである。しかしながら、以下に説明するように、現在、最大５つのキャリアが設定されうる。５個より多いキャリアの設定／アクティブ化／スケジューリングを許容する機構の定義がされることが望ましい。
【０１５２】
サービングセルの最大数は、境界を越えて増加させることはできない。各サービングセルに対して、サービングセルのサーチスペースは、ｎＣＩ値によって判定される。さらに、後続にスケジューリングされたキャリアは、キャリアＩＤ（Ｃａｒｒｉｅｒ  ＩＤ：ＣＩＤ）、ＰＤＣＣＨのキャリアインジケータフィールド（Carrier Indicator Field：ＣＩＦ）における値によって示される。
【０１５３】
ｎＣＩ値がＣＩＦと等しく、サービングセルインデックスと等しいことは、現在のＰＤＣＣＨの定義に伴う。サービングセルの最大数が８より大きい値に増加すると、サービングセルインデックスの範囲は、拡張される必要があり、これは、現在、サービングセルインデックスに対して３ビットが使用されており、サービングセルインデックスの範囲は０〜７であることからである。結果として、ＰＤＣＣＨにおけるｎＣＩおよびＣＩＦビットは拡張される必要がある。
【０１５４】
５個より多いサービングセルが設定されるとき、サーチスペースの数も５よりも大きい値に増加し、これは、サーチスペースの数が、設定されたサービングセルの数と同一であることからである。サーチスペースの数が増加すると、より多くのブラインド復号の試行が必要となり、これは、ＵＥの性能により高い要件を課し、ＰＤＣＣＨ復号の遅延が増加する。
【０１５５】
要約すると、設定されるサービングセルの数は増やすが、ブラインド復号の試行回数を減らし、さらには、ＰＤＣＣＨにおいて、Ｃａｒｒｉｅｒ  Ｉｎｄｉｃａｔｏｒ  Ｆｉｅｌｄ（ＣＩＦ）を拡張しないＰＤＣＣＨ割当ての機構を提供することが有益である。
【０１５６】
図８とともに、開示された例示的な実施形態を参照する。特に、この実施形態は、さらなる実装の詳細を提供し後で説明される後続の実施の形態の基本的な共通概念を設立するために提供される。この実施形態と関連して、移動局によって実行される以下のステップのために、ＰＤＣＣＨ割当ての受信を論じるものとする。
【０１５７】
一般的に、移動通信システムに備えられた複数のサービングセルのうち少なくとも２つのサービングセルが設定される移動局を設定するために、次のステップが実行される。この少なくとも２つのサービングセルは、複数の認可および無認可サービングセルを備えるＬＡＡおよびＬＴＥが混在した配備シナリオにおける、無認可サービングセルでありうる。
【０１５８】
はじめに、ＰＤＣＣＨ割当ての受信の際に、移動局は、設定される少なくとも２つのサービングセルに対する同一のサーチスペースを監視する（Ｓ０１−図８）。同一のサーチスペースは、ＰＤＣＣＨ割当て候補の同一のセットとして定義される。さらに、「候補のセットを監視する」という表現は、移動局が、全ての監視されるＤＣＩフォーマットに従う候補のセットにおいて、各ＰＤＣＣＨの復号を試行することを暗示している。
【０１５９】
まず、移動局によって監視されるサーチスペースは、移動局固有のものである。これは、サーチスペースが移動局に対して個別に設定されることを意味する。従って、この監視されるサーチスペースは、移動通信システムの無線セルにおける全ての移動局によって監視される共通サーチスペースとは異なる。
【０１６０】
第１の例において、少なくとも２つのサービングセルは、異なるサービングセルインデックスを有する。異なるサービングセルインデックスではあるが、同じサーチスペースが、移動局によって監視されることとする。このため、サーチスペースは、移動局によって、移動局に設定される少なくとも２つのサービングセルのインデックスとは独立して判定される。従って、第１の例は、サーチスペースがサービングセルのインデックスに従ってサービングセルに対して定義されるとして確立された原理を採用しない。
【０１６１】
むしろ、サーチスペースは、有利なＰＤＣＣＨ割当て機構を得るために、移動局に設定されるサービングセルのインデックスとは独立して定義されうることが第１の例と関連して認識される。その結果、第１の例において、利用可能なサービングインデックスの数は、移動局によって監視されうるサーチスペースの数によって制限されない。
【０１６２】
第２の異なる代替例において、少なくとも２つのサービングセルは、同一のサービングセルインデックスを有しても良い。この点において、移動局によって監視される（同一の）サーチスペースは、サービングセルインデックスに基づいて判定される。換言すれば、同一のサーチスペースは、移動局に設定される少なくとも２つのサービングセルの同一のインデックスに従う移動局によって判定される。
【０１６３】
従って、第２の例は、サーチスペースがサービングセルのインデックスに従ってサービングセルに対して定義されるとして確立された原理を採用する。しかしながら、同一のサービングセルインデックスの少なくとも２つのサービングセルを有することは、ＰＤＣＣＨ割当てに対する同一の（つまり、１つだけの）サーチスペースの異なる利用を必要とし、これは、以下の点において説明される。
【０１６４】
ＰＤＣＣＨ割当ての受信の際に、移動局は、同一のサーチスペース内の少なくとも２つのサービングセルに対するＰＤＣＣＨ割当てを監視し、復号を試行する（Ｓ０２−図８）。換言すれば、移動局は、少なくとも２つのサービングセルに対するＰＤＣＣＨ割当てを監視対象の候補の同一のセットから受信する。ＰＤＣＣＨ割当てを受信するとき、移動局は、ＰＤＣＣＨ割当てが少なくとも２つのサービングセルのどれと関係しているのか追加的に識別するものとし、これは、移動局が２つのサービングセルに対して同一のサーチスペースを使用するからである。例えば、移動局として少なくとも２つのサービングセルとの設定に対して同一のサーチスペースを使用するので、移動局は、ＰＤＣＣＨ割当てに関係しているサービングセルの識別に依存しなければならない。
【０１６５】
従って、移動局にとって、ＰＤＣＣＨ割当てが受信されたサーチスペースを「知る」ことは、受信したＰＤＣＣＨ割当てがどのサービングセルと関係しているかを結論付けるために十分ではなくなる。代わりに、少なくとも２つのサービングセルの設定に対して同一のサーチスペースが使用されるので、同一のサーチスペース内でＰＤＣＣＨ割当てを受信するステップは、ＰＤＣＣＨ割当てがどのサービングセルに向けられたものなのかを識別することを含む。
【０１６６】
第１の例に戻り、同一のサーチスペースが監視されたとしても、少なくとも２つのサービングセルは、異なるセルインデックスを有する。従って、移動局は、サービングセルインデックスにより、同一のサーチスペース内のサービングセルを区別することができる。換言すれば、同一のサーチスペース内でＰＤＣＣＨ割当てが受信されたかに関係なく、移動局は、受信されたＰＤＣＣＨ割当てがどのサービングセルのためのものか識別できる。
【０１６７】
特に、第１の例において、受信されたＰＤＣＣＨ割当ては、Ｃａｒｒｉｅｒ  Ｉｎｄｉｃａｔｏｒ  Ｆｉｅｌｄ（ＣＩＦ）、移動局に設定される少なくとも２つのサービングセルのそれぞれのインデックスに対応する値を含む。従って、受信されたＰＤＣＣＨ割当てにおけるＣＩＦ値は、移動局に設定される少なくとも２つのサービングセルの識別を許容する。
【０１６８】
有利に、第１の例において、最大５個のサーチスペースから生じた固有の制限は、もはやインデックス化できるサービングセルの数の制限ではなくなり、その機構は、増加した数の設定されたサービングセルを許容する。換言すると、サーチスペースは、サービングセルインデックスから独立して、定義されるので、移動局に最大で８個のサービングセルが設定されうる。同時に、ブラインド復号の試行回数は増加せず、ＰＤＣＣＨにおけるＣａｒｒｉｅｒ  Ｉｎｄｉｃａｔｏｒ  Ｆｉｅｌｄ（ＣＩＦ）のサイズも増加しない。
【０１６９】
第２の例に関して、移動局によって監視される同一のサーチスペースに対する少なくとも２つのサービングセルは、同一のサービングセルインデックスを有する。同一のサービングセルインデックスにもかかわらず、移動局は、移動局に設定される少なくとも２つのサービングセルに対するＰＤＣＣＨ割当てを受信する。
【０１７０】
特に、第２の例において、受信されたＰＤＣＣＨ割当ては、Ｃａｒｒｉｅｒ  Ｉｎｄｉｃａｔｏｒ  Ｆｉｅｌｄ（ＣＩＦ）、移動局に設定される少なくとも２つのサービングセルのそれぞれのインデックスに対応する値を含む。従って、受信されたＰＤＣＣＨ割当てにおけるＣａｒｒｉｅｒ  Ｉｎｄｉｃａｔｏｒ  Ｆｉｅｌｄ（ＣＩＦ）値は、２つのサービングセルの識別を許容しない。従って、第２の例は、ＰＤＣＣＨ割当てにおいて含まれるＣＩＦ値によってサービングセルが識別されるとして確立された原理を採用しない。
【０１７１】
むしろ、第２の例に関係して、ＰＤＣＣＨ割当ては、少なくとも２つのサービングセル対して関係なく受信され、従って、含まれるＣＩＦ値に独立すると認識されており、有利なＰＤＣＣＨ割当て機構を得るために、この値は、移動局に設定される少なくとも２つサービングセルを区別することを許容しないからである。結果として、第２の例において、移動局が受信するＰＤＣＣＨ割当てに対するサービングセルの数は、移動局によって監視されうる、およびサービングセルのインデックスを制限するサーチスペースの数によって制限されない。
【０１７２】
有利に、第２の例においても、最大５個のサーチスペースから生じた固有の制限は、もはや受信されるＰＤＣＣＨ割当てのためのサービングセルの識別の制限ではなくなり、その機構は、増加した数の設定されたサービングセルを許容する。換言すると、サーチスペースは、ＰＤＣＣＨ割当ての受信から独立して定義されるので、移動局に６個より多いサービングセルが設定されうる。同時に、ブラインド復号の試行回数は増加せず、ＰＤＣＣＨ割当てにおけるＣａｒｒｉｅｒ  Ｉｎｄｉｃａｔｏｒ  Ｆｉｅｌｄ（ＣＩＦ）のサイズも増加する必要はない。
【０１７３】
図９とともに、開示されたより詳細な実施形態を参照する。特に、この実施形態は、前述の例示的な実施形態と関連して開示された一般的な概念のＰＤＣＣＨ割当て機構の実施態様を例示する。
【０１７４】
本実施形態は、図７Ｂに図示するようにクロスキャリアスケジューリングの概念を指している。特に、クロスキャリアスケジューリングは、例えば、ＲＲＣシグナリングによって設定される。一般的に、同一のサーチスペースを共有するサービングセルの中で、これらの全ては、同一のサーチスペースを共有しない他のセルとのクロスキャリアスケジューリングが設定されるか、または、これらの全ては同一のサーチスペースを共有するサービングセルの１つにスケジューリングされるかの何れかとなる。
【０１７５】
本実施形態において、移動局は、複数のサービングセルの中で少なくとも２つのサービングセルを移動局に設定するために少なくとも１つのＲＲＣ再設定メッセージ（ＲＲＣ接続再設定メッセージの略語）を受信する（Ｓ０１ａ−図９）。従って、少なくとも２つのサービングセルとの移動局の設定は、少なくとも１つのＲＲＣ再設定メッセージの受信によってトリガーされる。
【０１７６】
例示的に、移動局は、参照および少なくとも２つのサービングセルの設定のためのトリガーを含む１つのＲＲＣ再設定メッセージを受信する。代替的に、移動局は、参照および少なくとも２つのサービングセルの設定（例えば、結合（ｊｏｉｎｔ））のトリガーを別々に含む２つのＲＲＣ再設定メッセージを受信する。
【０１７７】
従って、本実施形態のＰＤＣＣＨ割当て機構は、ＲＲＣレイヤ内で開始される。特に、本実施形態において、ＲＲＣ再設定メッセージのみが説明されるが、これは、トリガーされるＲＲＣ再設定手順の更なる通信は、ＰＤＣＣＨ割当ての受信のために重要でないからである。
【０１７８】
言い換えれば、例えば、ＲＲＣ再設定完了メッセージ（ＲＲＣ接続再設定完了メッセージの省略）の省略は、本開示を制限するものとして解釈されるべきではなく、さらに、このメッセージは、正常に完了すると（Ｓ０１−図９）、周知のＲＲＣ再設定手続きと同様の方法で、本実施形態においてこのメッセージも送信される。
【０１７９】
設定後、移動局は、移動局に設定される少なくとも２つのサービングセルに対する同一のサーチスペースを監視する（Ｓ０２−図９）。さらに、移動局は、少なくとも２つのサービングセルに対するＰＤＣＣＨ割当てを受信し（Ｓ０３−図９）、受信したＰＤＣＣＨ割当てが向けられた特定のサービングセルを識別、すなわち、判定する（Ｓ０４−図９）。
【０１８０】
短く表現するために、３つのステップ（Ｓ０２、Ｓ０３、およびＳ０４−図９）の詳細な説明は省略され、移動局によって実行される一般的な概念のステップ（Ｓ０１およびＳ０２−図８）の前述の説明のみが参照される。
【０１８１】
しかしながら、ＰＤＣＣＨ割当て機構のこれらの３つのステップがレイヤ１の一部として実行されることは強調されたものとする。従って、ＰＤＣＣＨ割当ては、移動端末のプライマリまたはセカンダリセルでありうる１つのおよび唯一のサービングセルから受信されてもよいが、移動局に対して設定される少なくとも２つのサービングセルとは異なりうる。
【０１８２】
例示的に実装において、移動局は、ＤＣＩフォーマットの１つに従うＰＤＣＣＨ割当てを受信する（Ｓ０３−図９）。従って、少なくとも２つのサービングセルの設定は、ＰＤＣＣＨ割当てが正常に受信されると、その少なくとも２つのサービングセルについてＰＵＳＣＨまたはＰＤＳＣＨ送信のスケジューリングを許容する（Ｓ０５−図９）。
【０１８３】
第１の例示的実装
開示されたＰＤＣＣＨ割当て手続きの第１の例示的実装を提供する実施形態が図１０を参照して言及される。特に、本実施形態は、第１の例の実装の詳細を前述した最初の例示的実施形態に対して提供する。短く表現するために、繰り返しの説明は省略され、同じ用語および参照符号を使用する前述の実施形態に対してのみ参照されるものとする。
【０１８４】
本実施形態において、移動局は、複数のサービングセルの中で、少なくとも２つのサービングセルをＵＥに設定するための少なくとも１つのＲＲＣ再設定メッセージを受信する（Ｓ０１ａ−図１０）。少なくとも１つのＲＲＣ再設定メッセージは、少なくとも２つのサービングセルに対して同一のサーチスペースを独立して判定するために同一のｎＣＩ値を含む。特に、ＵＥ局によって受信される少なくとも１つのＲＲＣ再設定メッセージは、少なくとも２つのサービングセルに対して（同一の）サーチスペースを判定するために使用されるｎＣＩ値がＵＥに設定される少なくとも２つのサービングセルのサービングセルインデックスから独立するように、少なくとも２つのサービングセルのそれぞれに対して、異なるサービングセルインデックスだが、同一のｎＣＩ値を含む。
【０１８５】
続いて、ＵＥは、ＲＲＣ再設定メッセージに含まれて受信した同一のｎＣＩ値を使用して同一のサーチスペースを判定し（Ｓ０２ａ−図１０）、続いて、少なくとも２つのサービングセルに対する判定された（Ｓ０２ｂ−図１０）同一のサーチスペースを監視できる。
【０１８６】
同一のサーチスペースＳ（Ｌ）ｋは、同一のｎＣＩ値を使用して、少なくとも２つのサービングセルに対して移動局によって、次式を適用して判定される。
【０１８７】
【数１５】
0006565040.tif 000018
上記の式において、アグリゲーションレベル、Ｌ、は、
【数１６】
0006565040.tif 000019
として定義され、i=0,…, L−1であり、Ｙｋは、Ｙｋ＝（Ａ・Ｙｋ―１）ｍｏｄＤとして定義され、移動局固有のサーチスペースに対しては、ｍ’＝ｍ＋Ｍ（Ｌ）・ｎＣＩであり、
ｎＣＩは、受信されたＲＲＣ再設定メッセージに含まれ、Ｍ（Ｌ）は、所与のサーチスペースにおいて監視対象のＰＤＣＣＨ割当ての候補のセットの数であり、ＮＣＥＥ，ｋは、サブフレームｋの制御領域内のＣＣＥの合計数であり、Ｙ―１＝ｎＲＮＴＩ≠０であり、
Ａ＝３９８２７、Ｄ＝６５５３７であって、
【数１７】
0006565040.tif 000020
であり、ｎｓは、無線フレーム内のスロット番号である。
【０１８８】
さらに、移動局は、少なくとも２つのサービングセルに対するＰＤＣＣＨ割当てを受信し（Ｓ０３−図１０）、ＰＤＣＣＨ割当てが向けられた対象のサービングセルを判定または識別する（Ｓ０４−図１０）。このために、受信されたＰＤＣＣＨ割当ては、移動局が設定される少なくとも２つのサービングセルのそれぞれのインデックスに対応する異なるＣａｒｒｉｅｒ  Ｉｎｄｉｃａｔｏｒ  Ｆｉｅｌｄ（ＣＩＦ）値を含む。従って、受信されたＰＤＣＣＨ割当てにおける異なるＣＩＦ値は、ＰＤＣＣＨ割当てが向けられたそれぞれの対象のサービングセルを識別することを許容する。
【０１８９】
有利に、本実施形態において、この機構は、設定されたサービングセルの数の増加を許容し、最大５つのサーチスペースから生じた固有の制限は、インデックス化されうるサービングセルの数の制限とはならない。換言すると、サーチスペースは、サービングセルインデックスから独立して定義されるので、最大８つのサービングセルを移動局に設定できる。同時に、ブラインド復号の試行回数は増加せず、ＰＤＣＣＨにおける、Ｃａｒｒｉｅｒ  Ｉｎｄｉｃａｔｏｒ  Ｆｉｅｌｄ（ＣＩＦ）の大きさも増加する必要はない。
【０１９０】
第１の例示的実装の変形形態
移動局が、複数のサービングセルの中で少なくとも２つのサービングセルと移動局を設定するために少なくとも１つのＲＲＣ再設定メッセージを受信する第１の例示的実装の別の変形形態を以下において説明する。少なくとも１つのＲＲＣ再設定メッセージは、少なくとも２つのサービングセルに対する同一のサーチスペースを独立して判定するために同一のｎＳＳ値を含む。特に、移動局によって受信される少なくとも１つのＲＲＣ再設定メッセージは、少なくとも２つのサービングセルに対して（同一の）サーチスペースを判定するために使用されるｎＳＳ値が移動局に設定される少なくとも２つのサービングセルのインデックスから独立であるように、少なくとも２つのサービングセルのそれぞれに対して、異なるサービングセルインデックスだが同一のｎＳＳ値を含む。
【０１９１】
従って、移動局は、ＲＲＣ再設定メッセージにおいて受信された同一のｎＳＳ値を用いて同一のサーチスペースを判定し、判定された、少なくとも２つのサービングセルに対する同一のサーチスペースを監視する。
同一のサーチスペースＳ（Ｌ）ｋは、同一のｎＳＳ値を用いて少なくとも２つのサービングセルに対して移動局によって、次式を適用して判定される。
【０１９２】
【数１８】
0006565040.tif 000021
上記の式において、アグリゲーションレベル、Ｌ、は、
【数１９】
0006565040.tif 000022
として定義され、i=0,…, L−1であり、Ｙｋは、Ｙｋ＝（Ａ・Ｙｋ―１）ｍｏｄＤとして定義され、移動局固有のサーチスペースに対しては、ｍ’＝ｍ＋Ｍ（Ｌ）・ｎＳＳであり、ｎＳＳは、受信されたＲＲＣ再設定メッセージに含まれ、Ｍ（Ｌ）は、所与のサーチスペースにおいて監視対象のＰＤＣＣＨ割当ての候補のセットの数であり、ＮＣＥＥ，ｋは、サブフレームｋの制御領域内のＣＣＥの合計数であり、Ｙ―１＝ｎＲＮＴＩ≠０であり、Ａ＝３９８２７、Ｄ＝６５５３７であって、
【数２０】
0006565040.tif 000023
であり、ｎｓは、無線フレーム内のスロット番号である。
【０１９３】
続いて、ＵＥは、少なくとも２つのサービングセルに対するＰＤＣＣＨ割当てを受信し、さらに、受信したＰＤＣＣＨ割当ての向けられたサービングセルを、識別、すなわち判定する。
【０１９４】
ＬＡＡ配備シナリオに適用された場合のＰＤＣＣＨ割当て機構の第１の例示的実装の例を図示する図１１および１２を参照する。特に、図１２に示すＵＥは、ｎＣＩ値０〜４によって定義される５つの異なるサーチスペースを利用し、８つの異なるサービングセルを有する。
【０１９５】
特に、（認可された（licensed））プライマリセル（ＰＣｅｌｌ）および認可されたセカンダリセル（licensed Secondary Cell）１および２は、ｎＣＩ値０〜２によって、それぞれ定義されるサーチスペースを介してスケジューリングされる。無認可のセカンダリセル３、４および５は、ｎＣＩ値３によって定義される同一のサーチスペースを介してスケジューリングされる。さらに、無認可のセカンダリセル６および７は、ｎＣＩ値４によって定義される同一のサーチスペースを介してスケジューリングされる。
【０１９６】
従って、サーチスペースは、サービングセルインデックスから独立して定義されるので、移動局に最大８個のサービングセルを設定することができる。ＰＤＣＣＨ割当て内でＣａｒｒｉｅｒ  Ｉｎｄｉｃａｔｏｒ  Ｆｉｅｌｄ（ＣＩＦ）を増加せず、８個より多いサービングセルをサポートするために、複数のサービングセルについてクロスキャリアスケジューリングを設定されうる。例えば、ＰＤＣＣＨは、３つのキャリアについてスケジューリングするように設定される。各キャリアは、７つのキャリア（スケジューリングキャリアを含めて８個のキャリア）をクロススケジュールするように設定されている。８個のキャリアのために、５個のサーチスペースが設定される。各スケジューリングキャリアについて、ＣＩＦは、対象キャリアのキャリアインデックスを示すために使用されうる。従って、合計、３×８＝２４個のキャリアを３×５＝１５個のサーチスペースでサポートすることができる。
【０１９７】
第２の例示的実装
図１３を参照して、説明されるＰＤＣＣＨ割当て手続きの第２の例示的実装を提供する実施形態を参照する。特に、本実施形態は、第２の例の実装の詳細を前述した最初の例示的実施形態に提供する。短く表現するために、繰り返しの説明は省略され、同じ用語および参照符号を使用する前述の実施形態のみ参照されるものとする。
【０１９８】
本実施形態において、移動局は、複数のサービングセルの中で少なくとも２つのサービングセルを移動局に設定するために、少なくとも１つのＲＲＣ再設定メッセージを受信する（Ｓ０１ａ−図１３）。少なくとも１つのＲＲＣ再設定メッセージは、移動局に設定される少なくとも２つのサービングセルの同一（すなわち、１つ）のインデックスを含む。この同一のサービングセルインデックスに基づいて、ＰＤＣＣＨ割当てに対する監視を行うために、移動局によって同一のサーチスペースが判定される。換言すれば、ＲＲＣ再設定メッセージに含まれる少なくとも２つのサービングセルの同一のインデックスに従って移動局によって、同一のサーチスペースが判定される。
【０１９９】
有利に、上述のＲＲＣ再設定メッセージは、移動局に設定される少なくとも２つのサービングセルを移動局によって区別可能とする追加情報を含んでいてもよい。少なくとも２つのサービングセルは、同一のサービングセルインデックスを有するので、そのインデックスは、（すなわち、従来技術と比較して）、ＲＲＣ再設定手続きにおいて、ＲＲＣ再設定メッセージの受信時に少なくとも２つのサービングセルを移動局によって区別可能とはしない。
【０２００】
しかしながら、少なくとも２つのサービングセルを区別するための追加情報を含むことは、厳密には必要ではないことが強調される。これは、同一の情報が、ＰＤＣＣＨ割当てが受信される少なくとも２つのサービングセルを、判定、すなわち、識別する後続のステップの一部においても得られるからである。さらに、ＲＲＣ再設定メッセージ内に追加情報を含むことは、レイヤ１とＲＲＣレイヤとの間のさらなるシグナリングの必要性をなくすことにより、実装の複雑性を減らす。
【０２０１】
続いて、移動局は、ＲＲＣ再設定メッセージに含まれる同一のサービングセルインデックスを用いて同一のサーチスペースを判定し（Ｓ０２ａ−図１３）、続いて、判定された、少なくとも２つのサービングセルに対する同一のサーチスペースを監視する（Ｓ０２ｂ−図１３）。
【０２０２】
より詳細には、移動局は、同一のサービングセルインデックスをｎＣＩ値として用いて少なくとも２つのサービングセルに対する同一のサーチスペースＳ（Ｌ）ｋを、次式を適用して判定する。
【０２０３】
【数２１】
0006565040.tif 000024
上記の式において、アグリゲーションレベル、Ｌ、は、
【数２２】
0006565040.tif 000025
として定義され、i＝0,…, L−1であり、Ｙｋは、Ｙｋ＝（Ａ・Ｙｋ―１）ｍｏｄＤとして定義され、移動局固有のサーチスペースに対しては、ｍ’＝ｍ＋Ｍ（Ｌ）・ｎＣＩであり、ｎＣＩは、同一のサービングセルインデックスであり、Ｍ（Ｌ）は、所与のサーチスペースにおいて監視対象のＰＤＣＣＨ割当ての候補のセットの数であり、ＮＣＥＥ，ｋは、サブフレームｋの制御領域内のＣＣＥの合計数であり、Ｙ―１＝ｎＲＮＴＩ≠０であり、Ａ＝３９８２７、Ｄ＝６５５３７であって、
【数２３】
0006565040.tif 000026
であり、ｎｓは、無線フレーム内のスロット番号である。
【０２０４】
続いて、移動局は、少なくとも２つのサービングセルに対するＰＤＣＣＨ割当てを受信し（Ｓ０３−図１３）、ＰＤＣＣＨ割当てが実際に向けられた対象のサービングセルを判定または識別する（Ｓ０４−図１３）。受信されたＰＤＣＣＨ割当ては、しかしながら、同一のＣａｒｒｉｅｒ  Ｉｎｄｉｃａｔｏｒ  Ｆｉｅｌｄ（ＣＩＦ）値を含み、この値は、移動局に設定される少なくとも２つのサービングセルのそれぞれの（つまり、同一の）インデックスに対応する。従って、受信されたＰＤＣＣＨ割当てにおけるＣａｒｒｉｅｒ  Ｉｎｄｉｃａｔｏｒ  Ｆｉｅｌｄ（ＣＩＦ）値は、ＰＤＣＣＨ割当てに対する対象のサービングセルを識別することを許容しない。
【０２０５】
第１の変形形態において、移動局によって受信されたＰＤＣＣＨ割当ては、Ｒｅｓｏｕｒｃｅ  Ｂｌｏｃｋ  Ａｓｓｉｇｎｍｅｎｔ（ＲＢＡ）フィールド（少なくとも、ＤＣＩフォーマット０、１、１Ａ、１Ｂ、１Ｃ、１Ｄ、２、２Ａ、２Ｂ、２Ｃ、２Ｄおよび４内において（背景技術の節も参照））を含み、ＲＢＡフィールドは、対象のサービングセルを識別するための情報を含むために使用されても良い。例示的に、少なくとも２つのサービングセルを識別するための情報は、受信されたＰＤＣＣＨ割当てのそれぞれのＲＢＡフィールに含まれ、同一のビット数に維持されながら割当て情報と組み合わされる。より詳細には、例示的な実装によれば、移動通信システムは、特に、対象のサービングセルの識別を許容するための追加情報を「多重化」するための予備の５ビットをＲＢＡフィールドが提供するようにＲＢＧサイズが設定されうる。ＤＣＩメッセージにおけるＲＢＡフィールドに対して、割当てタイプ０（背景技術の節を参照）に対するＲＢＧサイズを増加することができる。現在、２０ＭＨｚの帯域幅に対して、１００ＲＢが存在し、ＲＢＧサイズは、４ＰＲＢである。
【０２０６】
さらに、非特許文献３の５．３．３．１．２節によれば、ＲＢＡフィールドには、１００／４＝２５ビットが使用される。ＲＢＧサイズが５ＰＲＢに増加されると、１００／５＝２０ビットのみがＲＢＡフィールドに必要とされ、５ビットが残り、これは、無認可キャリアのインデックス指示に使用されうる。無認可キャリアの場合、スループットを増やすために無認可キャリアに対してより大きなブロックサイズが使用されうる。そうでなければ、認可キャリアが使用されうる。
【０２０７】
他の変形形態によれば、移動局によって受信されたＰＤＣＣＨ割当ては、ＰＤＣＣＨ割当てが実際に向けられた対象のサービングセルを識別するための別のフィールドを含むＤＣＩメッセージの専用フォーマットに存在する。この点について、対象のサービングセルを識別するための専用フィールドを追加的に含む既存のＤＣＩフォーマットの変形形態として、専用フォーマットを定義することが可能である。
【０２０８】
さらに、専用ＤＣＩフォーマットは、専用ＤＣＩフォーマット全体の大きさを維持するように、既存のＤＣＩフォーマットにおいて通常含まれる他の情報を犠牲にして、対象サービングセルを識別するための別のフィールドを含むように定義されてもよい。代替的に、専用ＤＣＩフォーマットは、既存のＤＣＩフォーマットにおいて通常含まれる情報に加え、少なくとも２つのサービングセルを識別するための別のフィールドを含むように定義されても良く、これにより、サイズの増加した専用（例えば、新しい）ＤＣＩフォーマットが生じることとなる。
【０２０９】
さらに、既に論じたように、受信されたＰＤＣＣＨ割当ては、移動局に設定される少なくとも２つのサービングセルを識別するための情報を追加的に含む。従って、受信されたＰＤＣＣＨ割当てにおける追加情報は、移動局に設定される少なくとも２つのサービングセルを識別することを許容する。結果として、移動局が受信するＰＤＣＣＨ割当てに対するサービングセルの数は、移動局において監視可能なサーチスペースの数によって制限されず、サービングセルのインデックスを制限する。
【０２１０】
有利に、最大５つのサーチスペースから生じる固有の制限は、ＰＤＣＣＨ割当てが受信されるサービングセルの識別の制限とはならないので、上記のＰＤＣＣＨ割当ては、設定されたサービングセルの数の増加を許容する。換言すると、サーチスペースは、ＰＤＣＣＨ割当ての受信から独立して定義されるので、移動局に５個より多いサービングセルが設定されうる。同時に、ブラインド復号の試行回数は増加せず、ＰＤＣＣＨにおける、Ｃａｒｒｉｅｒ  Ｉｎｄｉｃａｔｏｒ  Ｆｉｅｌｄ（ＣＩＦ）も増加しない。
【０２１１】
ＬＡＡおよびＬＴＥの混在した配備シナリオに適用されたときのＰＤＣＣＨ割当て機構の第２の例示的実装の例を図示する図１４を参照する。特に、図示されたＵＥは、ｎＣＩ値０、２、３、５および６によって定義される５つの異なるサーチスペースを利用し、移動通信システムに備えられた少なくとも６つの異なるサービングセルをスケジューリングする。
【０２１２】
特に、（認可された）プライマリセルおよび認可されたセカンダリセル１は、ｎＣＩ値０および２によって、それぞれ定義されるサーチスペースを介してスケジューリングされる。少なくとも、２つの無認可のセカンダリセル３は、ｎＣＩ値３によって定義されるサーチスペースを介して一緒にスケジューリングされる。さらに、認可されたセカンダリセル５および６は、ｎＣＩ値５および６によってそれぞれ定義されるサーチスペースを介して一緒にスケジューリングされる。
【０２１３】
従って、サーチスペースは、サービングセルインデックスを識別するための追加情報から独立して定義されるので、５個より多いサービングセルが移動局に設定されうる。
【０２１４】
第３の例示的実装
さらなる実施形態は、以下において論じるＰＤＣＣＨ割当て手続きの第３の例示的実装と関連する。特に、この実施形態は、ＣＩＦ値とサーチスペースの組み合わせが移動局に設定されるサービングセルの曖昧でない識別を許容する限り、ＰＤＣＣＨ割当てに含まれるＣＩＦ値が、異なるサーチスペース間で移動局のスケジューリングのために再利用されうる考えを探求する。
【０２１５】
この点について、サービングセルに対して、移動局によって監視されるサーチスペース（および移動局固有のサーチスペース）は、互いに重複していても良く、２つの重複するサーチスペースを監視している移動局は、重複しているサーチスペースエリアにおいて検出されたＰＤＣＣＨ割当てが、２つの重複するサーチスペース内の何れにおいて受信されたか区別できないと認識されている。
【０２１６】
しかしながら、サーチスペース間の重複は常に存在しないように、サーチスペースが複数のサービングセルの残りのサーチスペースと重複しないように移動局によってサーチスペースが判定されうる。このような非重複サーチスペースに対して、ＰＤＣＣＨ割当てに含まれるＣＩＦ値は、移動局に設定されるサービングセルの曖昧でない識別に影響なく再利用されうる。
【０２１７】
さらに、移動局は、どのサービングセルに対する同一のサーチスペースを監視するか「知っている」ことと、移動局によって受信されるＰＤＣＣＨ割当ては、同一のサーチスペース内で曖昧でないＣＩＦ値を含むので、ＰＤＣＣＨ割当てが受信されるサービングセルを識別する際にも同様に十分である。
【０２１８】
結果として、本実施形態のＰＤＣＣＨ割当て機構は、設定されたサービングセルの数を増加する利点を許容し、同時にブラインド復号の試行回数を減らし、ＰＤＣＣＨ割当てにおいて、Ｃａｒｒｉｅｒ  Ｉｎｄｉｃａｔｏｒ  Ｆｉｅｌｄ（ＣＩＦ）のサイズを拡張することを必要としない。
【０２１９】
より詳細には、本実施形態において、移動局に設定される少なくとも２つのサービングセルは、同一のサービングセルインデックスを有する。移動局に設定される、少なくとも２つのサービングセルのインデックスは、しかしながら、ＰＤＣＣＨ割当てに含まれるＣＩＦ値から独立している。
【０２２０】
この状況において、移動局は、少なくとも２つのサービングセルに対して、同一のサーチスペースを定義するＰＤＣＣＨ割当ての候補の同一のセットを監視する。同一のサーチスペースは、移動局固有である。
【０２２１】
同一のサーチスペースは、サーチスペースが複数のサービングセルの残りに対するサーチスペースと重複が無いように、移動局に設定される少なくとも２つのサービングセルの同一のインデックスに従って判定される。
【０２２２】
さらに、移動局は、少なくとも２つのサービングセルに対して、受信されたＰＤＣＣＨ割当てに含まれるＣａｒｒｉｅｒ  Ｉｎｄｉｃａｔｏｒ  Ｆｉｅｌｄ（ＣＩＦ）値を使用して監視される候補の同一のセットの中からＰＤＣＣＨ割当てを受信する。
【０２２３】
少なくとも非重複サーチスペースに対して曖昧でないようにＣＩＦ値が使用されるかぎり、ＰＤＣＣＨ割当てに含まれるＣＩＦ値は、ＰＤＣＣＨ割当てが受信される対象の２つのサービングセルを移動局が識別することを許容する。
【０２２４】
本実施形態の例示的変形形態において、移動局は、どの移動局に複数のサービングセルの中から少なくとも２つのサービングセルが設定されるかに従って、少なくとも１つのＲＲＣ再設定メッセージを受信する。
【０２２５】
さらなる例示的変形形態において、同一に定義され、少なくとも２つのサービングセルに対する非重複サーチスペースは、複数のサービングセルの中の異なるサービングセルに対するサーチスペースから分離されるように判定される。
【０２２６】
さらなる例示的変形形態において、同一で、非重複のサーチスペースを定義するＰＤＣＣＨ割当ての候補のセットは、Ｅ−ＰＤＣＣＨサーチスペースとして設定され、異なるサービングセルに対するサーチスペースを定義するＰＤＣＣＨ割当ての候補のセットは、ＰＤＣＣＨサーチスペースとして設定される。
【０２２７】
特に、ＬＡＡおよびＬＴＥの混在する配備シナリオは、本実施形態のＰＤＣＣＨ割当て機構に対して次の点において、使用されてよく、それは、無認可サービングセルに対する同一のサーチスペースは、他のサーチスペースから分離して設定され、例えば、ＥＰＤＣＣＨは、無認可キャリアに対して設定され、ＣＩＦ値は、無認可キャリアインデックスを示すために使用されうる。
【０２２８】
ＰＤＣＣＨと対比して、拡張ＰＤＣＣＨ（Ｅｎｈａｎｃｅｄ  ＰＤＣＣＨ：ＥＰＤＣＣＨ）は、ＰＤＳＣＨ領域において送信される。複数のＥＰＤＣＣＨセットが存在可能であり、各ＥＰＤＣＣＨセットは、ＰＲＢペアのセットから構成される。各ＥＰＤＣＣＨセットに対するＰＲＢペアは、ＲＲＣによって設定される。ＰＤＣＣＨと同一のＤＣＩフォーマットがＥＰＤＣＣＨで送信される。ＥＰＤＣＣＨは、キャリアのＰＤＳＣＨ領域において送信されることから、ＰＤＣＣＨとＥＰＤＣＣＨとの間に重複は無い。
【０２２９】
他の実施形態は、上述したさまざまな実施形態を、ハードウェアおよびソフトウェアを使用して実施することに関する。これに関連して、本開示は、ユーザ機器（移動端末）および基地局を提供する。ユーザ機器および基地局は、上述の方法を実行するようにされている。
【０２３０】
本開示のさまざまな実施形態がコンピューティングデバイス（プロセッサ）を使用して実装または実行され得ることがさらに認識される。コンピューティングデバイスまたはプロセッサは、例えば、汎用プロセッサ、デジタル・シグナル・プロセッサ（ＤＳＰ）、特定用途向け集積回路（ＡＳＩＣ）、フィールド・プログラマブル・ゲート・アレイ（ＦＰＧＡ）または他のプログラム可能なロジックデバイスなどとすることができる。加えて、無線送信機および無線受信器ならびに他の必要なハードウェアは、装置（ＵＥ、ＭｅＮＢ、ＳｅＮＢ）の中に備えることができる。本開示のさまざまな実施形態は、これらのデバイスの組合せによって行うことができ、または具現化することができる。
【０２３１】
さらに、本開示のさまざまな実施形態は、プロセッサによってまたはハードウェアで直接実行される、ソフトウェアモジュールを用いて同様に実装することができる。同様にソフトウェアモジュールとハードウェア実装の組合せを可能とすることができる。ソフトウェアモジュールは、例えば、ＲＡＭ、ＥＰＲＯＭ、ＥＥＰＲＯＭ、フラッシュメモリ、レジスタ、ハードディスク、ＣＤ−ＲＯＭ、ＤＶＤなどの、任意の種類のコンピュータ可読記憶媒体上に格納され得る。
【０２３２】
本開示の異なる実施形態の個別の特徴は、個別にまたは任意の組合せで、別の本開示の主題とすることができることにさらに留意されたい。
【０２３３】
総括的に説明された本開示の趣旨または範囲から逸脱することなく、特定の実施形態で示されたように、本開示に多数の変形形態および／または修正形態がなされ得ることは、当業者に理解されよう。本実施形態はしたがって、あらゆる点で、例示的なものであって制限するものではないとみなされるべきである。
【図１】
0006565040.tif 000030
【図２】
0006565040.tif 000031
【図３】
0006565040.tif 000032
【図４】
0006565040.tif 000033
【図５】
0006565040.tif 000034
【図６】
0006565040.tif 000035
【図７Ａ】
0006565040.tif 000036
【図７Ｂ】
0006565040.tif 000037
【図８】
0006565040.tif 000038
【図９】
0006565040.tif 000039
【図１０】
0006565040.tif 000040
【図１１】
0006565040.tif 000041
【図１２】
0006565040.tif 000042
【図１３】
0006565040.tif 000043
【図１４】
0006565040.tif 000044